(57)【要約】    本発明は、粉末の０．３ｗｔ％の水性分散体で測定して、少なくとも３０Ｐａの貯蔵弾性率（Ｇ’）を有する海藻ベースの粉末に関し、当該粉末は、最大で０．１ｗｔ％の臨界ゲル化濃度（Ｃ０）を有する。海藻ベースの粉末を含む組成物及び海藻ベースの粉末の製造方法が更に記載される。  【選択図】図１
2021517178.tif 000002
【特許請求の範囲】
【請求項１】
海藻ベースの粉末であって、前記粉末の０．３ｗｔ％の水性分散体で測定して、少なくとも３０Ｐａの貯蔵弾性率（Ｇ’）を有し、前記粉末が、最大で０．１ｗｔ％の臨界ゲル化濃度（Ｃ０）を有する、海藻ベースの粉末。
【請求項２】
前記粉末の総重量に基づいて、最大で２５ｗｔ％の含水量を有する、請求項１に記載の粉末。
【請求項３】
前記Ｇ’が少なくとも５０Ｐａである、請求項１又は２に記載の粉末。
【請求項４】
前記Ｃ０が、０．００１〜０．１００ｗｔ％である、請求項１〜３のいずれか一項に記載の粉末。
【請求項５】
前記粉末が、少なくとも５０のＣＩＥＬＡＢ  Ｌ＊値を有する、請求項１〜４のいずれか一項に記載の粉末。
【請求項６】
前記粉末が、前記粉末の総重量に基づいて、少なくとも１ｗｔ％の食物繊維成分を含む、請求項１〜５のいずれか一項に記載の粉末。
【請求項７】
前記粉末が、前記粉末の総重量に基づいて、少なくとも０．１ｗｔ％のタンパク質成分を含む、請求項１〜６のいずれか一項に記載の粉末。
【請求項８】
前記粉末が、前記粉末の前記重量に対して最大で２０ｗｔ％のＣｌ−含有量を有する、請求項１〜７のいずれか一項に記載の粉末。
【請求項９】
前記粉末が、前記粉末の前記重量に対して最大で５０ｗｔ％の量の酸不溶性材料（ＡＩＭ）を有する、請求項１〜８のいずれか一項に記載の粉末。
【請求項１０】
前記粉末が、前記粉末の前記重量に対して最大で５０ｗｔ％の量の酸不溶性灰（ＡＩＡ）を有する、請求項１〜９のいずれか一項に記載の粉末。
【請求項１１】
前記海藻が、アマノリ属の一種（Porphyra sp.）、ダルス（Palmaria Palmata）、キリンサイ属スピノサム種（Eucheuma spinosum）、キリンサイ（Eucheuma denticulatum）、キリンサイ属の一種（Eucheuma sp.）、キリンサイ属コットーニィ種（Eucheuma cottonii（カッパフィカス属アルベレッチー種（Kappaphycus alvarezii）としても知られる））、オオキリンサイ（Kappaphycus striatus）、オオキリンサイ属の一種（Kappaphycus sp.）、ツノマタ属トチヤカ種（Chondrus crispus）、アイリッシュモス（Irish moss）、Ｆｕｃｕｓ  ｃｒｉｓｐｕｓ、ツノマタ属の一種（Chondrus sp）、Ｓａｒｃｏｔｈａｌｉａ  ｃｒｉｓｐａｔａ、アカバギンナンソウ属ｌａｍｉｎａｒｏｉｄｅｓ（Mazzaella laminaroides）、アカバギンナンソウ属の一種（Mazzaella sp.）、スギノリ属ａｃｉｃｕｌａｒｉｓ（Chondracanthus acicularis）、スギノリ属ｃｈａｍｉｓｓｏｉ（Chondracanthus chamissoi）、スギノリ属の一種（Chondracanthus sp.）、スギノリ属ｐｉｓｔｉｌｌａ（Gigartina pistilla）、スギノリ属ｍａｍｍｉｌｌｏｓａ（Gigartina mammillosa）、スギノリ属ｓｋｏｔｔｓｂｅｒｇｉｉ（Gigartina skottsbergii）、スギノリ属の一種（Gigartina sp.）、オゴノリ属の一種（Gracilaria sp）、テングサ属の一種（Gelidium sp.）、イボノリ属ｓｔｅｌｌａｔｕｓ（Mastocarpus stellatus）及びこれらの混合物からなる海藻の群から選択される、請求項１〜１０のいずれか一項に記載の粉末。
【請求項１２】
請求項１〜１１のいずれか一項に記載の前記粉末と、追加の化合物とを含む組成物であって、前記化合物が粉末状又は非粉末状形態であり、前記製品が、グアーガム、キサンタンガム、ローカストビーンガム、カッシアガム、タラガム、コンニャクガム、アルギン酸、寒天、カラギーナン、β  １，３グルカン、デンプン、及びこれらの組み合わせからなる群から選択される、組成物。
【請求項１３】
請求項１〜１２のいずれか一項に記載の前記粉末又は前記組成物を含む食品製品、飼料製品、パーソナルケア製品、医薬製品又は工業製品。
【請求項１４】
前記製品が乳製品である、請求項１３に記載の製品。
【請求項１５】
請求項１〜１１のいずれか一項に記載の前記海藻ベースの粉末を製造する方法であって、
ａ．海藻及び水を含有し、少なくとも５ｗｔ％の乾燥固形分（ＤＳ）含有量を有する、バイオマスを提供するステップと、
ｂ．前記バイオマスを浸出プロセスにかけて、前記海藻の内部に存在する前記水を浸出させるステップと、浸出された海藻を含む浸出されたバイオマスを得るステップと、
ｃ．任意選択で、前記浸出されたバイオマスを最大で４０ｗｔ％の水分レベルまで乾燥させて、乾燥した浸出されたバイオマスを得るステップと、
ｄ．前記浸出されたバイオマスを塩水で調理して、調理されたバイオマスを得るステップと、
ｅ．任意選択で、前記調理されたバイオマスを洗浄及び／又は乾燥させるステップと、
ｆ．ステップｄ）又はｅ）の前記調理されたバイオマスを海藻ベースの粉末に変換するステップと、
を含む、方法。
【発明の詳細な説明】
【技術分野】
【０００１】
本発明は、食品、飲料、栄養製品、栄養補助食品、飼料、パーソナルケア用途、医薬用途及び工業用途において使用するための海藻ベースの粉末に関する。本発明はまた、海藻ベースの粉末の製造方法に関する。
【背景技術】
【０００２】
世界中の海藻生産量は、２０，０００，０００ｔ／年のオーダーであると考えられる。近年、海藻の栽培及び収穫の改善された方法が開発されて、生産量を増加させるだけでなく、より効率的な成長の制御を可能にした。欧州特許第２２３０８９５、欧州特許第３２４６２９２号及び国際公開第２０１７／１３１５１０号は、海藻の栽培システムの例を開示している。しかしながら、海藻の栽培及び収穫における最近の開発にもかかわらず、海藻は依然として、広範囲の用途で有効に使用されるための汎用性を欠いていると考えられる。
【０００３】
海藻は、一般に、海洋環境において、岩又は他の硬い底質に付着している植物様の生物である。海藻は、微細藻類などの微視的なものであり得るが、海底にある仮根から「森」や塔のような水中森林に成長する真昆布のように巨大であることもある。海藻種の大部分は、緑（６５００種を超える）、褐色（約２０００種）、又は赤色（約７０００種）の種類のいずれかである。
【０００４】
数百年以来、海藻がヒト並びに動物の健康に有益であることが認識され、近年、様々な研究により、海藻が脂肪代替品として有効であることが実証されている。人々は、食事と健康との間の関係をより認識するようになるにつれて、海藻の消費はますます注目を集めている。今日、海藻に基づく多くの新しい食品製品が開発及び販売されており、健康効果の向上、及び疾患のリスクを低減する可能性を提供してきた。直接、又は栄養補助食品として軽微な前処理後に消費された場合に、広範な健康上の利点に加えて、海藻は、栄養、物理化学、及びテクスチャ特性などの自然の機能特性の範囲を有し、様々な製品を製造するための成分として使用される場合、海藻は、これらの製品に有利な機能特性を伝達し得る。
【０００５】
例えば、海藻は、保水性及びレオロジー特性を呈し、粘度を増加させ、ゲルを形成し、及び／又は乳化剤として作用する自然の能力を有する。しかしながら、それらの優れた特性にもかかわらず、海藻は、商品と見なされるには程遠く、これは主に加工適性が低いためである。ほとんどの場合、海藻は、収穫されたまま、すなわち未加工のものとして使用され、そこから製造される製品の様々なレオロジー特性を変性又は向上させる。しかしながら、収穫直後の海藻は保存期間が短いため、保存性を伸ばすために乾燥させ、海藻をより扱いやすくする、又は包装するために、しばしば粉末と呼ばれる粉に粉砕する。米国特許第２０１８／００００１３７号は、粉砕された藻類の粉末を開示している。国際公開第２００８／０５０９４５号、国際公開第２０１５／０３３３３１号、及び国際公開第２０１７／２０４６１７号は、バイオ複合体、パーソナルケア組成物、並びに粉砕された乾燥及び湿潤海藻から作製されたハードカプセルなどの製品を開示しており、いくつかの種類の海藻粉末は市販されており、更にはオンラインで注文することができる。
【０００６】
このような加工の１つの欠点は、乾燥及び破砕された海藻が本来のレオロジー特性を失うことがあることである。市販の海藻粉末及び既知のプロセスに従って製造されたものは、粘度を向上させゲルを形成する能力が低下し得ることが観察された。広範囲の用途で使用するのに好適なゲルを形成するために、粉末の能力を定義する２つの主要なレオロジー要件が存在し、それらは（ｉ）最適な強度を有するゲルを生成するための粉末の能力と、（ｉｉ）ゲルを生成するために必要な粉末の量である。
【０００７】
市販の海藻ベースの粉末の一部は、比較的強いゲルを提供することができると思われる。しかしながら、ゲルを生成するためには、大量の粉末が必要である。大量の海藻ベースの粉末を使用すると、それを利用する製品の他の特性、例えば、分散性、色、臭気、味、口当たり、一貫性、外観、及び滑らかさなどに悪影響を及ぼし得る。
【０００８】
一方、いくつかの市販の海藻ベースの粉末は、比較的少量であってもゲルを生成することができる。しかしながら、これらの粉末は弱いゲルのみを生成することが観察された。最適なゲル強度を有さないという欠点は、そのようなゲルが、大部分の用途で利用するには適さない特性を有することがあり、したがって粉末の有用性が低下することである。
【０００９】
海藻を使用する代わりに、海藻から様々な海藻抽出物を蒸留することである。このようなプロセス、例えば、国際公開第２０１４／０７４５９２号に開示されているプロセスは、典型的には、特定の機能性を有する抽出物を生成するために、多少の刺激の強い化学物質を使用し、これは、長期間保存でき、比較的少量の添加剤として使用することができ、それを含む製品の特性を改善又は強化する。このような抽出物の例としては、例えばアルギン酸、寒天などの様々な粘液性物質が挙げられる。これらの抽出物は、抽出された海藻のものと比較して非常に優れたレオロジー特性を有し、様々な産業において、例えば増粘剤などの良好な用途が見出される。しかしながら、海藻抽出物の栄養的効果は海藻のものと比較して大幅に低下している。
【００１０】
したがって、未処理海藻の栄養的、物理化学的及び健康上の利益を維持するだけでなく、優れたレオロジー特性も有する海藻ベースの製品が必要とされている。特に、最適な強度を有するゲルを生成する能力を有し、加えて、ゲルを含む製品の他の特性に影響を及ぼさない、又は影響が少ない量で使用できる海藻ベースの製品が必要である。また、上記の望ましい特性を有する自然の、すなわち化学的に変性されていない海藻ベースの製品も必要とされている。
【発明の概要】
【００１１】
本発明は、機能性が改善された、すなわち優れたレオロジー特性を有し、且つ粉末を作製するために利用される海藻の栄養的及び健康上の利点を大部分有する海藻ベースの粉末を提供する。本発明の海藻ベースの粉末は、意図される用途に最適な強度を有するゲルを生成する能力を有する。また、ゲルを生成するために、ゲルを含む製品の他の特性に影響を及ぼさない、又は影響が少ないほど十分に少ない量で使用できる海藻ベースの製品が必要である。
【００１２】
特に、本発明は、当該粉末の０．３ｗｔ％の水性分散体で測定して、少なくとも３０Ｐａの貯蔵弾性率（Ｇ’）を有する海藻ベースの粉末を提供し、当該粉末は、最大で０．１ｗｔ％の臨界ゲル化濃度（Ｃ０）を有する。
【００１３】
本発明はまた、本発明による海藻ベースの粉末（以下、「本発明の粉末」）を生成する自然のプロセスを提供する。本発明の自然なプロセス（以下、「本発明のプロセス」）は、自然な熱処理及び機械的処理並びに無害な成分のみを利用し、アルカリ性塩基、酸化剤若しくは漂白剤、酸又はアルコールなどの刺激の強い化学物質を使用しない。使用される唯一の添加製品は、海に通常見られる水及び天然塩、したがって海藻自体（例えばＫＣｌ）である。本発明のプロセスの更なる利点は、海藻の栄養的及び健康上の利益を維持し得ることであり得る。
【００１４】
したがって、様々な製品の製造における本発明の粉末の利用は、これらの製品に優れたレオロジー特性及びテクスチャを付与するだけでなく、当該製品の健康関連特性も改善し得ると考えられる。加えて、本発明の粉末は、色、味、臭い、口当たり、外観などの、粉末を含有する製品の他の特性に与える影響が小さい。
【００１５】
例えば、食品製品の場合、本発明の粉末の利用は、様々な疾患（例えば、肥満、脂質異常症、高血圧、糖尿病）に対する耐性を改善することができる。
【００１６】
本発明者らはまた、使用状況に応じて、本発明の粉末が、それを含む製品の特性、例えば、レオロジー特性の最適な調節、変更、及び／又は適合を可能にすることがあり、そのような製品の設計者がそのような製品中の成分の数を減らし、それによってそれらのレシピを簡略化し得ることも観察した。
【００１７】
例えば、食品製品に使用される場合、本発明の分散体は、当該製品のテクスチャ、流れ、口当たり及び／又は摂取にプラスの影響を与えるだけでなく、消化の生物学的メカニズムに有利に影響し、及び／又は所望の生理学的影響をもたらし得る。
【００１８】
パーソナルケア製品で使用される場合、本発明の分散体は製品の外観にプラスの影響を与え、そのような製品中に存在する活性物質を毛髪、皮膚又はその他のケアを必要とする場所に最適に伝達し得る。医薬製品についても同様である。
【００１９】
本発明の分散体の他の利点は、以下に記載される本発明の詳細な説明から明らかになるであろう。
【図面の簡単な説明】
【００２０】
【図１】海藻ベースの粉末試料のＣ０を決定する方法を示す。
【図２】本発明の粉末を使用して、標準的品質改良剤で製造されたクリーム状デザートのレオロジー特性の比較を示す。
【図３】本発明の粉末を使用して、標準的品質改良剤で製造されたゲル状デザートのレオロジー特性の比較を示す。    発明の詳細な説明
【００２１】
本発明は海藻ベースの粉末に関する。海藻の種類は、多くの種類の海藻から選択され得る。本発明の文脈において、「海藻」とは、野生で成長するか、又は養殖され得る巨視的な多細胞性の海洋藻類であると理解される。野生の海藻は、通常、ヒトによる栽培や管理なしに、海や海洋の深層水域で成長する。養殖された海藻は、通常、海や海洋の表面の下に配置されるロープ、布地、ネット、チューブネットなどの様々な支持体上で栽培される。海藻はまた、海水を含むプール、池、タンク又は反応器内で養殖されて、海岸又は内陸に置かれ得る。用語「海藻」は、赤色、褐色、及び緑色の海藻の仲間を含む。
【００２２】
本文書全体を通して、海藻の科、属などの特定の分類法が使用されている。言及される分類法は、海藻の養殖及び収穫の技術において、及び／又は海藻抽出物の技術において典型的に使用されるものである。赤色の海藻の分類法は、例えば、Ｃ．Ｗ．Ｓｃｈｎｅｉｄｅｒ及びＭ．Ｊ．Ｗｙｎｎｅ  によるＢｏｔａｎｉｃａ  Ｍａｒｉｎａ  ５０（２００７）：１９７−２４９、Ｇ．Ｗ．Ｓａｕｄｅｒｓ及びＭ．Ｈ．ＨｏｍｍｅｒｓａｎｄによるＡｍｅｒｉｃａｎ  Ｊｏｕｒｎａｌ  ｏｆ  Ｂｏｔａｎｙ  ９１（１０）：１４９４−１５０７，２００４、及びＡｔｈａｎａｓｉａｄｉｓ，Ａ．によるＢｏｃｃｏｎｅａ  １６（１）：１９３−１９８．２００３−ＩＳＳＮ  １１２０−４０６０に記載される。緑色の海藻の分類法は、例えば、Ｎａｓｅｌｌｉ  Ｆｌｏｒｅｓ  Ｌ及びＢａｒｏｎｅ  Ｒ．（２００９）Ｇｒｅｅｎ  Ａｌｇａｅ、Ｇｅｎｅ  Ｅ．Ｌｉｋｅｎｓ，（Ｅｄｉｔｏｒ）Ｅｎｃｙｃｌｏｐｅｄｉａ  ｏｆ  Ｉｎｌａｎｄ  Ｗａｔｅｒｓ．ｖｏｌｕｍｅ  １，ｐｐ．１６６−１７３  Ｏｘｆｏｒｄ：Ｅｌｓｅｖｉｅｒに記載される。褐色海藻の分類法は、例えば、Ｊｏｈｎ  Ｄ．Ｗｅｈｒ  ｉｎ  Ｆｒｅｓｈｗａｔｅｒ  Ａｌｇａｅ  ｏｆ  Ｎｏｒｔｈ  Ａｍｅｒｉｃａ−Ｅｃｏｌｏｇｙ  ａｎｄ  Ｃｌａｓｓｉｆｉｃａｔｉｏｎ，Ｅｄｉｔｉｏｎ：１，Ｃｈａｐｔｅｒ：２２，Ｐｕｂｌｉｓｈｅｒ：Ａｃａｄｅｍｉｃ  Ｐｒｅｓｓ，Ｅｄｉｔｏｒｓ：Ｊｏｈｎ  Ｄ．Ｗｅｈｒ，Ｒｏｂｅｒｔ  Ｇ．Ｓｈｅａｔｈ，ｐｐ．７５７−７７３に記載される。
【００２３】
好ましくは、本発明に従って使用される海藻は、赤色海藻、すなわち、紅藻植物門（Rhodophyta phylum）に属する海藻、又は褐色海藻、すなわち褐藻類（Phaeophycaeae）の部類における種類、科、及び属である。赤い海藻は、海藻に存在し、フィコビリン（phycobilin）、例えばフィコエリトリン（phycoerythrin）と呼ばれる色素によって与えられる特徴的な赤又は紫がかった色を有する。
【００２４】
より好ましくは、海藻は、スギノリ科（Gigartinaceae）、ウシケノリ網（Bangiophyceae）、ダルス科（Palmariaceae）、イバラノリ科（Hypneaceae）、シストクロニウム科（Cystocloniaceae）、ミリン科（Solieriaceae）、オオツキノリ科（Phyllophoraceae）、及びススカケベニ科（Furcellariaceae）、又はこれらの組み合わせの科から選択される赤色海藻である。最も好ましくは、海藻は、ウシケノリ（Bangiales）、ツノマタ（Chondrus）、イリダエア（Iridaea）、ダルス（Palmaria）、スギノリ（Gigartina）、オゴノリ（Gracilaria）、テングサ（Gelidium）、Ｒｈｏｄｏｇｌｏｓｓｕｍ、イバラノリ（Hypnea）、キリンサイ（Eucheuma）、オオキリンサイ（Kappaphycus）、Ａｇａｒｃｈｉｅｌｌａ、オオツキノリ（Gymnogongrus）、Ｓａｒｃｏｔｈａｌｉａ、オオツキノリ（Phyllophora）、イタニグサ（Ahnfeltia）、アカバギンナンソウ（Mazzaella）、イボノリ（Mastocarpus）、スギノリ（Chondracanthus）、ススカケベニ（Furcellaria）及びこれらの混合物の属から選択される。
【００２５】
海藻が、アマノリ属の一種（Porphyra sp.）、ダルス（Palmaria Palmata）、キリンサイ属スピノサム種（Eucheuma spinosum）、キリンサイ（Eucheuma denticulatum）、キリンサイ属の一種（Eucheuma sp.）、キリンサイ属コットーニィ種（Eucheuma cottonii（カッパフィカス属アルベレッチー種（Kappaphycus alvarezii）としても知られる））、オオキリンサイ（Kappaphycus striatus）、オオキリンサイ属の一種（Kappaphycus sp.）、ツノマタ属トチヤカ種（Chondrus crispus）、アイリッシュモス（Irish moss）、Ｆｕｃｕｓ  ｃｒｉｓｐｕｓ、ツノマタ属の一種（Chondrus sp）、Ｓａｒｃｏｔｈａｌｉａ  ｃｒｉｓｐａｔａ、アカバギンナンソウ属ｌａｍｉｎａｒｏｉｄｅｓ（Mazzaella laminaroides）、アカバギンナンソウ属の一種（Mazzaella sp.）、スギノリ属ａｃｉｃｕｌａｒｉｓ（Chondracanthus acicularis）、スギノリ属ｃｈａｍｉｓｓｏｉ（Chondracanthus chamissoi）、スギノリ属の一種（Chondracanthus sp.）、スギノリ属ｐｉｓｔｉｌｌａ（Gigartina pistilla）、スギノリ属ｍａｍｍｉｌｌｏｓａ（Gigartina mammillosa）、スギノリ属ｓｋｏｔｔｓｂｅｒｇｉｉ（Gigartina skottsbergii）、スギノリ属の一種（Gigartina sp.）、オゴノリ属の一種（Gracilaria sp）、テングサ属の一種（Gelidium sp.）、イボノリ属ｓｔｅｌｌａｔｕｓ（Mastocarpus stellatus）及びこれらの混合物からなる海藻の群から選択された場合、最良の結果が得られた。
【００２６】
赤色海藻の一部、例えば、カッパフィカス属アルベレッチー種（Kappaphycus alvarezii）は、緑色又は褐色の品種を有し得ることが知られている。しかしながら、例えば海藻が赤色海藻であることを言及する場合、本発明の文脈内で、それは、本明細書において門であり、品種の色ではないことを意味する。
【００２７】
最も好ましい褐色海藻は、アスコフィルム（Acsophyllum）、Ｄｕｒｖｉｌｌａｅａ、カジメ（Ecklonia）、Ｈｙｐｅｒｂｏｒｅａ、コンブ（Laminaria）、レッソニア（Lessonia）、マクロシスティス（Macrocystis）、ヒバマタ（Fucus）及びホンダワラ（Sargassum）科から選択されるものである。褐色海藻の具体例としては、ブルケルプ（Bull Kelp）（Ｄｕｒｖｉｌｌａｅ  ｐｏｔａｔｏｒｕｍ）、Ｄｕｒｖｉｌｌａｅ種、Ｄ．ａｎｔａｒｃｔｉｃａ及びＫｎｏｔｔｅｄ  Ｋｅｌｐ（アスコフィルム属ｎｏｓｏｄｕｍ（Ａｓｃｏｐｈｙｌｌｕｍ  ｎｏｓｏｄｕｍ）が挙げられる。
【００２８】
本発明者らは、緑色（すなわち、緑色植物門（Chlorophyta）及び車軸藻植物門（Charophyta）の群に属する海藻）及び褐色海藻から得られた本発明の粉末は、飼料又は工業製品の製造において概ね有利であることを観察した。
【００２９】
海藻ベースの粉末とは、本明細書では、海藻粒子の集まりであると理解され、すなわち、当該粉末は海藻粒子を含む。当該粒子は、本発明の方法に従って海藻を加工することによって得られ得る。好ましくは、海藻粒子は、好ましくは少なくとも２０μｍ、より好ましくは少なくとも５０μｍ、更により好ましくは少なくとも７５μｍ、更により好ましくは少なくとも８５μｍ、最も好ましくは少なくとも１２０μｍのＤ５０を有する。好ましくは、当該Ｄ５０は、最大で７５０μｍ、より好ましくは最大で５００μｍ、更により好ましくは最大で３５０μｍ、最も好ましくは最大で２５０μｍである。好ましくは、当該Ｄ５０は、２０μｍ〜７５０μｍ、より好ましくは５０μｍ〜３５０μｍ、最も好ましくは７５μｍ〜２５０μｍである。
【００３０】
好ましくは、本発明の粉末を形成する海藻粒子は、好ましくは少なくとも１２５μｍ、より好ましくは少なくとも１００μｍ、更により好ましくは少なくとも１７５μｍ、最も好ましくは少なくとも２２０μｍのＤ９０を有する。好ましくは、当該Ｄ９０は、最大で８００μｍ、より好ましくは最大で６００μｍ、最も好ましくは最大で４００μｍである。好ましくは、当該Ｄ９０は、１２５μｍ〜８００μｍ、より好ましくは１７５μｍ〜６００μｍ、最も好ましくは２２０μｍ〜４００μｍである。
【００３１】
好ましくは、海藻粒子は、少なくとも２０μｍのＤ５０、及び少なくとも１２５μｍのＤ９０、より好ましくは少なくとも５０μｍのＤ５０、及び少なくとも１７５μｍのＤ９０、最も好ましくは少なくとも７５μｍのＤ５０、及び少なくとも２２０μｍのＤ９０を有する。
【００３２】
好ましくは、本発明の粉末は乾燥粉末である。乾燥粉末は、本明細書では、粉末の総重量に基づいて、最大で２５ｗｔ％の含水量を有する粉末と理解される。好ましくは、含水量は、少なくとも４ｗｔ％、より好ましくは少なくとも６ｗｔ％、更により好ましくは少なくとも８ｗｔ％、最も好ましくは少なくとも１０ｗｔ％である。好ましくは、当該含水量は、最大で２０ｗｔ％、より好ましくは最大で１５ｗｔ％、最も好ましくは最大で１２ｗｔ％である。好ましくは、当該含水量は、４ｗｔ％〜２０ｗｔ％、より好ましくは６ｗｔ％〜１５ｗｔ％、最も好ましくは８ｗｔ％〜１２ｗｔ％である。本発明による過度に乾燥した粉末は、生成に費用がかかることがあり、一方、過度に湿潤した粉末は、保存期間がわずかに短くなることがあることが観察された。
【００３３】
好ましくは、本発明の海藻ベースの粉末は、少なくとも８０％の乾燥基準の海藻粒子、より好ましくは少なくとも９０％の乾燥基準、更により好ましくは少なくとも９２％の乾燥基準、最も好ましくは少なくとも９６％のｗｔ％の乾燥基準を含有する。残りのｗｔ％から最大１００ｗｔ％には、海藻粒子以外の異物が含まれていることがある。異物の例としては、海藻の処理後に海藻粒子間に通常残存する不純物及び／又は望ましくないミネラル（すなわち、ヒト又は動物の健康に有害なミネラル）が挙げられる。例えば、海藻を注意深く洗浄及び処理して本発明の粉末にすることによって、異物の存在を最小限に抑えることが望ましい。
【００３４】
本発明者らは、本発明の粉末が水性媒体に分散した場合に機能的特性を有することを観察し、すなわち、当該粉末は、レオロジー特性を調整し、粉末を含む製品を既存の海藻粉末ではこれまで達成できなかったレベルに安定化するのに役立つ。
【００３５】
本発明の粉末は、当該粉末の０．３ｗｔ％の水性分散体で測定して、少なくとも３０Ｐａの貯蔵弾性率（Ｇ’）、及び最大で０．１ｗｔ％の臨界ゲル化濃度（Ｃ０）を有する。
【００３６】
本発明の粉末は、少なくとも３０ＰａのＧ’を有し、好ましくは、本発明の粉末は、少なくとも３５Ｐａ、より好ましくは少なくとも４０Ｐａ、より好ましくは少なくとも５０Ｐａ、より好ましくは少なくとも６０Ｐａ、より好ましくは少なくとも７０Ｐａ、より好ましくは少なくとも９０Ｐａ、更により好ましくは少なくとも１１０Ｐａ、最も好ましくは少なくとも１２０ＰａのＧ’を有する。好ましくは、当該Ｇ’は、最大で５００Ｐａ、より好ましくは最大で４００Ｐａ、更により好ましくは最大で３００Ｐａ、最も好ましくは最大で２００Ｐａである。
【００３７】
本発明はまた、当該粉末の０．３ｗｔ％の水性分散体で測定して、少なくとも５０Ｐａの貯蔵弾性率（Ｇ’）を有する海藻ベースの粉末を提供し、当該粉末は、最大で０．１ｗｔ％の臨界ゲル化濃度（Ｃ０）を有する。
【００３８】
本発明の粉末の機能性は、当該粉末の製造において原材料として使用される海藻の種類に応じて広範囲に変化させることができる。例えば、少なくとも３０Ｐａ、更には少なくとも５０ＰａのＧ’値を有する本発明の粉末は、スピノサム（Spinosum）から得ることができ、一方、少なくとも１２０Ｐａ、更には少なくとも１８０Ｐａのより高いＧ’は、それぞれ、ツノマタ（Chondrus）又はコットーニィ（Cottonii）から得ることができる。
【００３９】
貯蔵弾性率Ｇ’は、一般に、製品のレオロジー特性を分析するために使用され、ほとんどの場合、当該製品は分散体を作製するために使用される。Ｇ’は、剪断力が加えられているときに分散体に蓄積される変形エネルギーの測定値であり、分散体の粘弾性挙動に影響を与える当該製品の能力を示す優れた指標となる。本発明の目的のために、水性媒体の総重量に対して、０．３ｗｔ％の低減された量の本発明の粉末を含有する水性媒体でＧ’を測定した。可能な限り低い粉末濃度で、可能な限り高いＧ’値を有する分散体を達成することが非常に望ましい。
【００４０】
本発明の粉末を含有する「水性分散体」とは、本明細書では、当該粉末が水性媒体中に分散され、当該水性媒体が好ましくは連続相を形成する組成物と理解される。好ましくは、当該粉末は、当該媒体中に均質に分散される。粉末は、水性媒体内（すなわちバルク中）に分散され得るが、当該水性媒体中に存在する任意の界面、例えば、水と粉末以外の任意の成分、例えば油との間の界面に存在し得る。分散体の例としては、懸濁液、エマルション、溶液などが挙げられるが、これらに限定されない。
【００４１】
本明細書で使用する「水性媒体」という用語は、水を含有する液体媒体を意味し、その非限定的な例には、純水、水溶液及び水懸濁液が含まれるが、乳製品、例えば再構成した脱脂乳、牛乳、ヨーグルトなど、ローション、クリーム、軟膏などのパーソナルケア製品、及び医薬製品に含有される水性液体媒体もまた含まれる。本発明の文脈内で、Ｇ’の判定に最も好ましい水性媒体は、再構成した脱脂乳であり、したがって、溶液の総重量に対して、０．３ｗｔ％の本発明の粉末を含有する再構成された脱脂乳の溶液でＧ’を測定した。
【００４２】
本発明者らは、その最適なレオロジー特性により、本発明の粉末を食品製品、特に乳製品に添加すると、優れた食感を有する製品の製造が容易になり、例えば、滑らかで及び／又は光沢のあるテクスチャと、優れた口当たり、例えば、クリーミー及び／又は濃厚な口当たりとを得ることを観察した。更に、その優れた機能特性のために、本発明の粉末は、スプーンで切ることができる、半ゲル化又はゲル化された製品の製造を容易にし得る。製品中の本発明の粉末の量を変化させる場合、そのテクスチャは、所望の一貫性、バランス及び特性を有するように調整されることがあり、したがって、最適な外観、テクスチャ及び口当たりを有する製品の製造を可能にし得る。そのような有利な特性は、海藻ベースの成分を利用する製品でこれまで達成されなかった、発明者の知識にあった。本発明の粉末はまた、それを含有する製品の粘度、凝集性及び堅さを調整及び／又は増加させるだけでなく、当該製品内部のタンパク質及び粒子状物質を安定化するのに必要な機能性を有し得る。
【００４３】
多種多様な製品、特に食品製品は、本発明の粉末の有利な特性から利益を得ることができ、食品製品の非限定的な例は、例えば、フラン、クリーム状デザート、カスタードプディング、プリン、卵ベースのデザート、カスタード、Ｖｌａ、ムース、ホイップクリーム、曝気処理されたトッピング、多層デザートと、コーヒークリーマと、飲料及び特に乳飲料、例えば、風味を付けた乳製品及び飲用ヨーグルト、ココアミルクと、クリーム、特に乳製品クリームと、冷凍デザートとの、ゲル化された曝気処理された又はクリーム状のテクスチャを有するチルド又は周囲安定性デザートを含み、これらの食品製品は、乳製品又は植物性脂肪／タンパク質源に基づくことができる。
【００４４】
本発明の粉末の改善された機能性の別の指標は、その低下した臨界ゲル化濃度（Ｃ０）、すなわち、０．１ｗｔ％未満のＣ０である。Ｃ０は、それ以下ではゲル様挙動が観察され得ない、水性媒体中の本発明の粉末の最低濃度を表す。Ｃ０はまた、ゲル化の臨界濃度とも呼ばれ、記述の「測定方法」セクションに提示されている方法に従って測定される。
【００４５】
したがって本発明の粉末は、好ましくは、少なくとも０．００１ｗｔ％、より好ましくは少なくとも０．００５ｗｔ％、更により好ましくは少なくとも０．０１０ｗｔ％、最も好ましくは少なくとも０．０１５ｗｔ％のＣ０を有する。好ましくは、当該Ｃ０は、最大で０．０９５ｗｔ％、より好ましくは最大で０．０９０ｗｔ％、更により好ましくは最大で０．０８５ｗｔ％、最も好ましくは最大で０．０８０ｗｔ％である。好ましくは、Ｃ０は、０．００１〜０．１００ｗｔ％、より好ましくは０．００５〜０．０９０ｗｔ％、最も好ましくは０．０１０〜０．０８０ｗｔ％である。より好ましくは、Ｃ０は、０．００１〜０．０８０ｗｔ％、より好ましくは０．００５〜０．０６０ｗｔ％、更により好ましくは０．０１０〜０．０５０ｗｔ％、最も好ましくは０．０１０〜０．０４０ｗｔ％である。
【００４６】
本発明者らは、本発明の粉末がＧ’とＣ０、特に高いＧ’と低いＣ０の組み合わせを有することに気づき、これはいずれの海藻ベースの粉末でもこれまで達成されなかった。特に、本発明の粉末をより低い濃度で使用してＧ’値を上げることがあり、食品製品、飼料製品、及び他の製品の製造業者に、それらの最適な粘弾性特性を維持しながら構成物質を添加又は除去することが可能であり得るという点で、彼らのそれぞれの調製の設計の自由度を高め得る。
【００４７】
本発明者らはまた、本発明の粉末が、それを含有する製品のレオロジー特性を、所望の稠度、挙動、テクスチャ、安定性に調整できることを観察した。この能力は、製品が衝撃及び高重力（Ｇ力）に曝されることがあり、その結果、当該製品内の様々な成分を分離させ、更にそこから染み出すことさえある場合に、当該製品の輸送中に特に重要である。これもまた成分の分離や漏れが発生する可能性があるため、この能力は保管中、特に長期保管中にも特に重要である。そのような望ましくない影響は、製品のテクスチャ、レオロジー、及び視覚的外観に悪影響を及ぼし得るため、非常に望ましくない。
【００４８】
本発明の粉末はまた、例えば、白色度の観点から表されるような優れた外観を有する。特に、本発明の粉末は、少なくとも５０、好ましくは少なくとも６０、好ましくは少なくとも７０、好ましくは少なくとも７４、より好ましくは少なくとも７６、更により好ましくは少なくとも７８、最も好ましくは少なくとも８０のＣＩＥＬＡＢ  Ｌ＊値を有し得る。好ましくは、本発明の粉末は、最大で５．０、より好ましくは最大で３．５、最も好ましくは最大で２．０のＣＩＥＬＡＢ  ａ＊値を有する。好ましくは、本発明の粉末は、最大で２０、より好ましくは最大で１７、最も好ましくは最大で１５のＣＩＥＬＡＢ  ｂ＊値を有する。
【００４９】
本発明の粉末はまた、臭気を低減し、ほとんど味がない。これらは、特定のテクスチャ、口当たり、外観などを有する製品の製造に「中性」成分が必要とされる場合に、優れた属性である。
【００５０】
本発明の粉末の別の利点は、海藻の粒子を形成する海藻における食物繊維の存在、特に、可溶性及び不溶性食物繊維の存在である。繊維には、可溶性及び不溶性の２つの形態があり、それらの物理的特性及び生理学的効果の両方によって特徴付けられる。可溶性繊維は、水に溶解でき、追加の健康上の利点を提供すると考えられているガムなどの成分を含み、例えば、消化路の内壁をコーティングし、胃の構成要素の排出を遅らせ、糖吸収速度を遅くする。対照的に、不溶性繊維は、グルコマンナン及びグルカンのようなセルロース及びヘミセルロースのような物質からなり、不消化性部分である。このような繊維はかさを増し、消化路を通る食物の動きを改善し得る。
【００５１】
本発明の粉末は、好ましくは、粉末の総重量に基づいて少なくとも１ｗｔ％、より好ましくは少なくとも５ｗｔ％、最も好ましくは少なくとも１０ｗｔ％の食物繊維成分を含む。好ましくは、繊維含有量は、最大で９０ｗｔ％、より好ましくは最大で８０ｗｔ％、最も好ましくは最大で７０ｗｔ％である。食物繊維含有量は、例えば、所望の食物繊維含有量を有する特定の海藻を選択すること、及び／又は海藻のブレンドを利用して、これを達成することによって調整できる。
【００５２】
本発明の粉末の別の利点は、海藻の粒子を形成する海藻中のタンパク質の存在である。本発明の粉末は、好ましくは、粉末の総重量に基づいて少なくとも０．１ｗｔ％、より好ましくは少なくとも０．５ｗｔ％、最も好ましくは少なくとも１．０ｗｔ％のタンパク質成分を含む。好ましくは、タンパク質含有量は、最大で７０量％、より好ましくは最大６０ｗｔ％、最も好ましくは最大で５０ｗｔ％である。タンパク質含有量は、例えば、所望のタンパク質含有量を有する特定の海藻を選択すること、及び／又は海藻のブレンドを利用して、これを達成することによって調整できる。
【００５３】
本発明の粉末を製造するために使用される海藻の種類に応じて、当該粉末は、タンパク質及び食物繊維以外の有益な栄養素、例えばβ−カロテン、ビタミン、遊離脂肪酸、アミノ酸、ミネラル、ポリフェノールのような酸化防止剤、フィトステロールなどを自然に含有し得る（すなわち、添加することなく）。
【００５４】
好ましくは、本発明の粉末はグルテンを含まない。より好ましくは、本発明の粉末は、小麦、穀物、ナッツ、及びグルテンを含まない。好ましくは、本発明の粉末は、化学的に変性されていない粉末である。化学的に変性されていない粉末とは、本明細書では、例えば本発明のプロセスのように、上述の刺激の強い化学物質を使用せずに、自然なプロセスによって製造された粉末と理解される。
【００５５】
好ましくは、本発明の粉末は、粉末の重量に対して最大で２０ｗｔ％、より好ましくは最大で１５ｗｔ％、更により好ましくは最大で１０ｗｔ％、最も好ましくは最大で５ｗｔ％のＣｌ−含有量を有する。好ましくは、当該Ｃｌー含有量は、少なくとも０．０１ｗｔ％、より好ましくは少なくとも０．１ｗｔ％、最も好ましくは少なくとも１ｗｔ％である。本発明の粉末が好ましい範囲内のＣｌー含有量を有する場合、その機能性が改善されることが観察された。
【００５６】
好ましくは、本発明の粉末は、粉末の重量に対して最大で５０ｗｔ％、より好ましくは最大で４０ｗｔ％、更により好ましくは最大で３０ｗｔ％、最も好ましくは最大で２０ｗｔ％の酸不溶性材料（ＡＩＭ）の量を含む。好ましくは、当該ＡＩＭ含有量は、少なくとも１ｗｔ％、より好ましくは少なくとも５ｗｔ％、最も好ましくは少なくとも１０ｗｔ％である。本発明の粉末が好ましい範囲内のＡＩＭ含有量を有する場合、その栄養特性が最適化されることが観察された。
【００５７】
好ましくは、本発明の粉末は、粉末の重量に対して最大で５．０ｗｔ％、より好ましくは最大で３．０ｗｔ％、更により好ましくは最大で１．０ｗｔ％、最も好ましくは最大で０．８０ｗｔ％の酸不溶性灰（ＡＩＡ）の量を含む。好ましくは、当該ＡＩＡ含有量は、少なくとも０．０１ｗｔ％、より好ましくは少なくとも０．０５ｗｔ％、最も好ましくは少なくとも０．１０ｗｔ％である。好ましい範囲内のＡＩＡ含有量を有する本発明の粉末は、異物を当該製品に導入しない、又はより少ない程度で異物を当該製品に導入し、異物は次に当該製品の更なる精製ステップを必要とし得るため、食品製品、パーソナルケア製品及び医薬製品での使用により適していることが観察された。
【００５８】
本発明は、当該粉末の０．３ｗｔ％の水性分散体で測定して、少なくとも３０Ｐａの貯蔵弾性率（Ｇ’）、及び最大で０．１ｗｔ％の臨界ゲル化濃度（Ｃ０）を有する海藻ベースの粉末に更に関し、海藻は、赤色海藻、すなわち、紅藻植物門（Rhodophyta phylum）に属する海藻である。好ましくは、当該粉末は、少なくとも４０Ｐａ、より好ましくは少なくとも５０Ｐａ、より好ましくは少なくとも６０Ｐａ、より好ましくは少なくとも７０Ｐａ、より好ましくは少なくとも９０Ｐａ、更により好ましくは少なくとも１１０Ｐａ、最も好ましくは少なくとも１２０ＰａのＧ’を有する。好ましくは、当該Ｇ’は、最大で５００Ｐａ、より好ましくは最大で４００Ｐａ、更により好ましくは最大で３００Ｐａ、最も好ましくは最大で２００Ｐａである。好ましくは、当該粉末のＣ０は、０．００１〜０．１００ｗｔ％、より好ましくは０．００５〜０．０９０ｗｔ％、最も好ましくは０．０１０〜０．０８０ｗｔ％である。より好ましくは、Ｃ０は、０．００１〜０．０８０ｗｔ％、より好ましくは０．００５〜０．０６０ｗｔ％、更により好ましくは０．０１０〜０．０５０ｗｔ％、最も好ましくは０．０１０〜０．０４０ｗｔ％である。好ましくは、当該粉末は、少なくとも４０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも９０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも１２０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも５０、好ましくは少なくとも６０、好ましくは少なくとも７０、好ましくは少なくとも７４、より好ましくは少なくとも７６、更により好ましくは少なくとも７８、最も好ましくは少なくとも８０のＣＩＥＬＡＢ  Ｌ＊値を有し得る。好ましくは、海藻は、スギノリ科（Gigartinaceae）、ウシケノリ網（Bangiophyceae）、ダルス科（Palmariaceae）、イバラノリ科（Hypneaceae）、シストクロニウム科（Cystocloniaceae）、ミリン科（Solieriaceae）、オオツキノリ科（Phyllophoraceae）、及びススカケベニ科（Furcellariaceae）、又はこれらの組み合わせの科から選択される赤色海藻である。最も好ましくは、海藻は、ウシケノリ（Bangiales）、ツノマタ（Chondrus）、イリダエア（Iridaea）、ダルス（Palmaria）、スギノリ（Gigartina）、オゴノリ（Gracilaria）、テングサ（Gelidium）、Ｒｈｏｄｏｇｌｏｓｓｕｍ、イバラノリ（Hypnea）、キリンサイ（Eucheuma）、オオキリンサイ（Kappaphycus）、Ａｇａｒｃｈｉｅｌｌａ、オオツキノリ（Gymnogongrus）、Ｓａｒｃｏｔｈａｌｉａ、オオツキノリ（Phyllophora）、イタニグサ（Ahnfeltia）、アカバギンナンソウ（Mazzaella）、イボノリ（Mastocarpus）、スギノリ（Chondracanthus）、ススカケベニ（Furcellaria）及びこれらの混合物の属から選択される。
【００５９】
本発明は更に、当該粉末の０．３ｗｔ％の水性分散体で測定して、少なくとも３０Ｐａの貯蔵弾性率（Ｇ’）、及び、最大で０．１ｗｔ％の臨界ゲル化濃度（Ｃ０）を有する海藻ベースの粉末に関し、海藻は、アマノリ属の一種（Porphyra sp.）、ダルス（PalmariaPalmata）、キリンサイ属スピノサム種（Eucheumaspinosum）、キリンサイ（Eucheuma denticulatum）、キリンサイ属の一種（Eucheuma sp.）、キリンサイ属コットーニィ種（Eucheuma cottonii（カッパフィカス属アルベレッチー種（Kappaphycus alvarezii）としても知られる））、オオキリンサイ（Kappaphycus striatus）、オオキリンサイ属の一種（Kappaphycus sp.）、ツノマタ属トチヤカ種（Chondrus crispus）、アイリッシュモス（Irish moss）、Ｆｕｃｕｓ  ｃｒｉｓｐｕｓ、ツノマタ属の一種（Chondrus sp）、Ｓａｒｃｏｔｈａｌｉａ  ｃｒｉｓｐａｔａ、アカバギンナンソウ属ｌａｍｉｎａｒｏｉｄｅｓ（Mazzaella laminaroides）、アカバギンナンソウ属の一種（Mazzaella sp.）、スギノリ属ａｃｉｃｕｌａｒｉｓ（Chondracanthus acicularis）、スギノリ属ｃｈａｍｉｓｓｏｉ（Chondracanthus chamissoi）、スギノリ属の一種（Chondracanthus sp.）、スギノリ属ｐｉｓｔｉｌｌａ（Gigartina pistilla）、スギノリ属ｍａｍｍｉｌｌｏｓａ（Gigartina mammillosa）、スギノリ属ｓｋｏｔｔｓｂｅｒｇｉｉ（Gigartina skottsbergii）、スギノリ属の一種（Gigartina sp.）、オゴノリ属の一種（Gracilaria sp）、テングサ属の一種（Gelidium sp.）、イボノリ属ｓｔｅｌｌａｔｕｓ（Mastocarpus stellatus）及びこれらの混合物からなる海藻の群から選択された赤色海藻である。好ましくは、当該粉末は、少なくとも４０Ｐａ、より好ましくは少なくとも５０Ｐａ、より好ましくは少なくとも６０Ｐａ、より好ましくは少なくとも７０Ｐａ、より好ましくは少なくとも９０Ｐａ、更により好ましくは少なくとも１１０Ｐａ、最も好ましくは少なくとも１２０ＰａのＧ’を有する。好ましくは、当該Ｇ’は、最大で５００Ｐａ、より好ましくは最大で４００Ｐａ、更により好ましくは最大で３００Ｐａ、最も好ましくは最大で２００Ｐａである。好ましくは、当該粉末のＣ０は、０．００１〜０．１００ｗｔ％、より好ましくは０．００５〜０．０９０ｗｔ％、最も好ましくは０．０１０〜０．０８０ｗｔ％である。より好ましくは、Ｃ０は、０．００１〜０．０８０ｗｔ％、より好ましくは０．００５〜０．０６０ｗｔ％、更により好ましくは０．０１０〜０．０５０ｗｔ％、最も好ましくは０．０１０〜０．０４０ｗｔ％である。好ましくは、当該粉末は、少なくとも４０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも９０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも１２０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも５０、好ましくは少なくとも６０、好ましくは少なくとも７０、好ましくは少なくとも７４、より好ましくは少なくとも７６、更により好ましくは少なくとも７８、最も好ましくは少なくとも８０のＣＩＥＬＡＢ  Ｌ＊値を有し得る。好ましくは、海藻は、キリンサイ属スピノサム種（Eucheuma spinosum）、キリンサイ属コットーニィ種（Eucheuma cottonii）（カッパフィカス属アルベレッチー種（Kappaphycus alvarezii）としても知られる）、ツノマタ属トチヤカ種（Chondrus crispus）、アイリッシュモス（Irish moss）及びこれらの混合物からなる群から選択される。
【００６０】
本発明は、（ｉ）当該粉末の０．３ｗｔ％の水性分散体で測定して、少なくとも３０Ｐａの貯蔵弾性率（Ｇ’）、及び最大で０．１ｗｔ％の臨界ゲル化濃度（Ｃ０）を有する海藻ベースの粉末に更に関し、海藻は、キリンサイ属スピノサム種（Eucheuma spinosum）であるか、又は、（ｉｉ）当該粉末の０．３ｗｔ％の水性分散体で測定して、少なくとも３０Ｐａの貯蔵弾性率（Ｇ’）、及び最大で０．１ｗｔ％の臨界ゲル化濃度（Ｃ０）を有する海藻ベースの粉末に更に関し、海藻は、キリンサイ属コットーニィ種（Eucheuma cottonii）（カッパフィカス属アルベレッチー種（Kappaphycus alvarezii）としても知られる）であるか、又は、（ｉｉｉ）当該粉末の０．３ｗｔ％の水性分散体で測定して、少なくとも３０Ｐａの貯蔵弾性率（Ｇ’）、及び最大で０．１ｗｔ％の臨界ゲル化濃度（Ｃ０）を有する海藻ベースの粉末に更に関し、海藻は、ツノマタ属トチヤカ種（Chondrus crispus）である。以下の好ましい範囲は、３つの所与の変異体の（ｉ）〜（ｉｉｉ）のそれぞれに適用できる。好ましくは、少なくとも４０Ｐａ、より好ましくは少なくとも５０Ｐａ、より好ましくは少なくとも６０Ｐａ、より好ましくは少なくとも７０Ｐａ、より好ましくは少なくとも９０Ｐａ、更により好ましくは少なくとも１１０Ｐａ、最も好ましくは少なくとも１２０ＰａのＧ’である。好ましくは、当該Ｇ’は、最大で５００Ｐａ、より好ましくは最大で４００Ｐａ、更により好ましくは最大で３００Ｐａ、最も好ましくは最大で２００Ｐａである。好ましくは、Ｃ０は、０．００１〜０．１００ｗｔ％、より好ましくは０．００５〜０．０９０ｗｔ％、最も好ましくは０．０１０〜０．０８０ｗｔ％である。より好ましくは、Ｃ０は、０．００１〜０．０８０ｗｔ％、より好ましくは０．００５〜０．０６０ｗｔ％、更により好ましくは０．０１０〜０．０５０ｗｔ％、最も好ましくは０．０１０〜０．０４０ｗｔ％である。好ましくは、Ｇ’は少なくとも４０Ｐａであり、Ｃ０は、０．００１〜０．１００ｗｔ％、より好ましくは０．００５〜０．０９０ｗｔ％、最も好ましくは０．０１０〜０．０８０ｗｔ％である。好ましくは、Ｇ’は少なくとも９０Ｐａであり、Ｃ０は、０．００１〜０．１００ｗｔ％、より好ましくは０．００５〜０．０９０ｗｔ％、最も好ましくは０．０１０〜０．０８０ｗｔ％である。好ましくは、Ｇ’は少なくとも１２０Ｐａであり、Ｃ０は、０．００１〜０．１００ｗｔ％、より好ましくは０．００５〜０．０９０ｗｔ％、最も好ましくは０．０１０〜０．０８０ｗｔ％である。好ましくは、粉末は、少なくとも５０、好ましくは少なくとも６０、好ましくは少なくとも７０、好ましくは少なくとも７４、より好ましくは少なくとも７６、更により好ましくは少なくとも７８、最も好ましくは少なくとも８０のＣＩＥＬＡＢ  Ｌ＊値を有し得る。
【００６１】
本発明は更に、少なくとも３０Ｐａの貯蔵弾性率（Ｇ’）を有する海藻ベースの粉末に関する。好ましくは、海藻は、赤色海藻、すなわち、紅藻植物門（Ｒｈｏｄｏｐｈｙｔａ  ｐｈｙｌｕｍ）に属する海藻である。好ましくは、当該粉末は、少なくとも４０Ｐａ、より好ましくは少なくとも５０Ｐａ、より好ましくは少なくとも６０Ｐａ、より好ましくは少なくとも７０Ｐａ、より好ましくは少なくとも９０Ｐａ、更により好ましくは少なくとも１１０Ｐａ、最も好ましくは少なくとも１２０ＰａのＧ’を有する。好ましくは、当該Ｇ’は、最大で５００Ｐａ、より好ましくは最大で４００Ｐａ、更により好ましくは最大で３００Ｐａ、最も好ましくは最大で２００Ｐａである。好ましくは、当該粉末のＣ０は、０．００１〜０．１００ｗｔ％、より好ましくは０．００５〜０．０９０ｗｔ％、最も好ましくは０．０１０〜０．０８０ｗｔ％である。より好ましくは、Ｃ０は、０．００１〜０．０８０ｗｔ％、より好ましくは０．００５〜０．０６０ｗｔ％、更により好ましくは０．０１０〜０．０５０ｗｔ％、最も好ましくは０．０１０〜０．０４０ｗｔ％である。好ましくは、当該粉末は、少なくとも４０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも９０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも１２０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも５０、好ましくは少なくとも６０、好ましくは少なくとも７０、好ましくは少なくとも７４、より好ましくは少なくとも７６、更により好ましくは少なくとも７８、最も好ましくは少なくとも８０のＣＩＥＬＡＢ  Ｌ＊値を有し得る。好ましくは、海藻は、スギノリ科（Gigartinaceae）、ウシケノリ網（Bangiophyceae）、ダルス科（Palmariaceae）、イバラノリ科（Hypneaceae）、シストクロニウム科（Cystocloniaceae）、ミリン科（Solieriaceae）、オオツキノリ科（Phyllophoraceae）、及びススカケベニ科（Furcellariaceae）、又はこれらの組み合わせの科から選択される赤色海藻である。最も好ましくは、海藻は、ウシケノリ（Bangiales）、ツノマタ（Chondrus）、イリダエア（Iridaea）、ダルス（Palmaria）、スギノリ（Gigartina）、オゴノリ（Gracilaria）、テングサ（Gelidium）、Ｒｈｏｄｏｇｌｏｓｓｕｍ、イバラノリ（Hypnea）、キリンサイ（Eucheuma）、オオキリンサイ（Kappaphycus）、Ａｇａｒｃｈｉｅｌｌａ、オオツキノリ（Gymnogongrus）、Ｓａｒｃｏｔｈａｌｉａ、オオツキノリ（Phyllophora）、イタニグサ（Ahnfeltia）、アカバギンナンソウ（Mazzaella）、イボノリ（Mastocarpus）、スギノリ（Chondracanthus）、ススカケベニ（Furcellaria）及びこれらの混合物の属から選択される。
【００６２】
本発明は、最大で０．０５ｗｔ％の臨界ゲル化濃度（Ｃ０）を有する海藻ベースの粉末に更に関し、海藻は、赤色海藻、すなわち、紅藻植物門（Rhodophyta phylum）に属する海藻である。好ましくは、当該粉末は、少なくとも３０Ｐａ、好ましくは少なくとも４０Ｐａ、より好ましくは少なくとも５０Ｐａ、より好ましくは少なくとも６０Ｐａ、より好ましくは少なくとも７０Ｐａ、より好ましくは少なくとも９０Ｐａ、更により好ましくは少なくとも１１０Ｐａ、最も好ましくは少なくとも１２０ＰａのＧ’を有する。好ましくは、当該Ｇ’は、最大で５００Ｐａ、より好ましくは最大で４００Ｐａ、更により好ましくは最大で３００Ｐａ、最も好ましくは最大で２００Ｐａである。好ましくは、当該粉末のＣ０は、０．００１〜０．０５０ｗｔ％、より好ましくは０．００５〜０．０９０ｗｔ％、最も好ましくは０．０１０〜０．０４５ｗｔ％である。より好ましくは、Ｃ０は、０．００１〜０．０４０ｗｔ％、より好ましくは０．００５〜０．０３５ｗｔ％である。好ましくは、当該粉末は、少なくとも４０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも９０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも１２０ＰａのＧ’及び０．００１〜０．１００ｗｔ％、より好ましくは０．００５〜０．０９０ｗｔ％、最も好ましくは０．０１０〜０．０８０ｗｔ％のＣ０を有する。好ましくは、当該粉末は、少なくとも５０、好ましくは少なくとも６０、好ましくは少なくとも７０、好ましくは少なくとも７４、より好ましくは少なくとも７６、更により好ましくは少なくとも７８、最も好ましくは少なくとも８０のＣＩＥＬＡＢ  Ｌ＊値を有し得る。好ましくは、海藻は、スギノリ科（Gigartinaceae）、ウシケノリ網（Bangiophyceae）、ダルス科（Palmariaceae）、イバラノリ科（Hypneaceae）、シストクロニウム科（Cystocloniaceae）、ミリン科（Solieriaceae）、オオツキノリ科（Phyllophoraceae）、及びススカケベニ科（Furcellariaceae）、又はこれらの組み合わせの科から選択される赤色海藻である。最も好ましくは、海藻は、ウシケノリ（Bangiales）、ツノマタ（Chondrus）、イリダエア（Iridaea）、ダルス（Palmaria）、スギノリ（Gigartina）、オゴノリ（Gracilaria）、テングサ（Gelidium）、Ｒｈｏｄｏｇｌｏｓｓｕｍ、イバラノリ（Hypnea）、キリンサイ（Eucheuma）、オオキリンサイ（Kappaphycus）、Ａｇａｒｃｈｉｅｌｌａ、オオツキノリ（Gymnogongrus）、Ｓａｒｃｏｔｈａｌｉａ、オオツキノリ（Phyllophora）、イタニグサ（Ahnfeltia）、アカバギンナンソウ（Mazzaella）、イボノリ（Mastocarpus）、スギノリ（Chondracanthus）、ススカケベニ（Furcellaria）及びこれらの混合物の属から選択される。
【００６３】
本発明は、（ｉ）当該粉末の０．３ｗｔ％の水性分散体で測定して、少なくとも２５Ｐａの貯蔵弾性率（Ｇ’）を有する海藻ベースの粉末に更に関し、海藻は、キリンサイ属スピノサム種（Eucheuma spinosum）であるか、又は、（ｉｉ）当該粉末の０．３ｗｔ％の水性分散体で測定して、少なくとも２０Ｐａの貯蔵弾性率（Ｇ’）を有する海藻ベースの粉末に更に関し、海藻は、キリンサイ属コットーニィ種（Eucheuma cottonii）（カッパフィカス属アルベレッチー種（Kappaphycus alvarezii）としても知られる）であるか、又は、（ｉｉｉ）当該粉末の０．３ｗｔ％の水性分散体で測定して、少なくとも３０Ｐａの貯蔵弾性率（Ｇ’）を有する海藻ベースの粉末に更に関し、海藻は、ツノマタ属トチヤカ種（Chondrus crispus）である。以下の好ましい範囲は、３つの所与の変異体の（ｉ）〜（ｉｉｉ）のそれぞれに適用できる。好ましくは、Ｇ’は、少なくとも３０Ｐａ、好ましくは少なくとも４０Ｐａ、より好ましくは少なくとも５０Ｐａ、より好ましくは少なくとも６０Ｐａ、より好ましくは少なくとも７０Ｐａ、より好ましくは少なくとも９０Ｐａ、更により好ましくは少なくとも１１０Ｐａ、最も好ましくは少なくとも１２０Ｐａである。好ましくは、当該Ｇ’は、最大で５００Ｐａ、より好ましくは最大で４００Ｐａ、更により好ましくは最大で３００Ｐａ、最も好ましくは最大で２００Ｐａである。好ましくは、Ｃ０は、０．００１〜０．１００ｗｔ％、より好ましくは０．００５〜０．０９０ｗｔ％、最も好ましくは０．０１０〜０．０８０ｗｔ％である。より好ましくは、Ｃ０は、０．００１〜０．０８０ｗｔ％、より好ましくは０．００５〜０．０６０ｗｔ％、更により好ましくは０．０１０〜０．０５０ｗｔ％、最も好ましくは０．０１０〜０．０４０ｗｔ％である。好ましくは、Ｇ’は少なくとも４０Ｐａであり、Ｃ０は、０．００１〜０．１００ｗｔ％、より好ましくは０．００５〜０．０９０ｗｔ％、最も好ましくは０．０１０〜０．０８０ｗｔ％である。好ましくは、Ｇ’は少なくとも９０Ｐａであり、Ｃ０は、０．００１〜０．１００ｗｔ％、より好ましくは０．００５〜０．０９０ｗｔ％、最も好ましくは０．０１０〜０．０８０ｗｔ％である。好ましくは、Ｇ’は少なくとも１２０Ｐａであり、Ｃ０は、０．００１〜０．１００ｗｔ％、より好ましくは０．００５〜０．０９０ｗｔ％、最も好ましくは０．０１０〜０．０８０ｗｔ％である。好ましくは、粉末は、少なくとも５０、好ましくは少なくとも６０、好ましくは少なくとも７０、好ましくは少なくとも７４、より好ましくは少なくとも７６、更により好ましくは少なくとも７８、最も好ましくは少なくとも８０のＣＩＥＬＡＢ  Ｌ＊値を有し得る。
【００６４】
本発明者らはまた、驚くべきことに、本発明の粉末が、それを含有する製品が、最適な嗜好性を維持することを可能にする特性を有することを観察した。嗜好性は、味、風味、及び色などの因子を含む。既知の海藻ベースの粉末は、海水に似た味及び臭い、並びに濃い茶色がかった色をしており、中性成分を必要とする製品、例えば、乳製品において利用するのに適していない。本発明者らは、本発明の粉末が、そのような欠点を有さないか、又は既知の粉よりも少ない程度に有することを観察した。このような有利な特性は、いずれの海藻ベースの粉末によってもこれまで提供されたことのない発明者の知識にあった。
【００６５】
本発明はまた、本発明の粉末及び追加の化合物を含む組成物を提供し、当該化合物は粉末状又は非粉末状の形態である。追加の化合物は、添加剤と、保存料と、ビタミン類と、フィトステロールのようなステロールと、ポリフェノールなどの酸化防止剤と、ヒトの栄養に有益なミネラルと、全野菜抽出物と、グルコマンナン、ガラクトマンナン、セルロース（ミクロフィブリル化セルロース、セルロースゲル）、アルギン酸、カラギーナンウルバン、ラミニン、及び他の１，３β−グルカンのような親水コロイド又はガムと、デンプンと、デキストリンと、スクロース、グルコースなどの糖と、マンニトール、エリスリトール、グリセロール、ソルビトール、キシリトール、マルチトールなどのポリオールと、植物又は野菜タンパク質及び乳タンパク質のようなタンパク質又はタンパク質加水分解物と、油及び脂肪と、界面活性剤、粉末レシチン及びこれらの組み合わせからなる群から選択され得る。追加の化合物の量は、組成物の用途に応じて広く変化することができ、ほとんどの用途において、当該量は、典型的には、組成物の総重量に基づいて０．０１ｗｔ％〜９９ｗｔ％である。
【００６６】
本発明はまた、本発明の粉末及びガムを含む組成物を提供し、ガムは、好ましくはグアーガム、キサンタンガム、ローカストビーンガム、カッシアガム、タラガム、コンニャクガム、アルギン酸、寒天、カラギーナン、β１，３グルカン、デンプン、及びこれらの組み合わせからなる群から選択される。好ましくは、ガムは、組成物の総重量に基づいて少なくとも５ｗｔ％、より好ましくは少なくとも２０ｗｔ％、更により好ましくは少なくとも３０ｗｔ％、最も好ましくは少なくとも５０ｗｔ％の量で使用される。好ましくは、ガムの量は、最大で９０ｗｔ％、より好ましくは最大で７０ｗｔ％、更により好ましくは最大で５０ｗｔ％、最も好ましくは最大で２０ｗｔ％である。
【００６７】
本発明はまた、本発明の粉末及びデンプンを含む組成物を提供する。好ましくは、デンプンは、組成物の総重量に基づいて少なくとも５ｗｔ％、より好ましくは少なくとも２０ｗｔ％、更により好ましくは少なくとも３０ｗｔ％、最も好ましくは少なくとも５０ｗｔ％の量で使用される。好ましくは、デンプンの量は、最大で９０ｗｔ％、より好ましくは最大で７０ｗｔ％、更により好ましくは最大で５０ｗｔ％、最も好ましくは最大で３０ｗｔ％である。本発明で使用されるデンプンは、任意の天然源由来の任意のデンプンであってもよい。本明細書で使用される天然デンプンは、自然に見られるものである。また、任意の既知の育種技術によって得られる植物由来のデンプンも好適である。デンプンの典型的な供給源は、穀物、塊茎、及び仮根、マメ科植物及び果実である。天然源は、トウモロコシ、ジャガイモ、サツマイモ、大麦、小麦、米、サゴデンプン、アマランス、タピオカ（キャッサバ）、ａｒｒｏｗ−仮根、カンナ、エンドウ、バナナ、オート麦、ライ麦、ライ小麦、及びモロコシ、並びにこれらの低アミロース（蝋様の）及び高アミロースの種類が挙げられるが、これらに限定されない任意の種類であり得る。低アミロース又は蝋状品種は、デンプンの重量の最大で１０％のアミロース、好ましくは最大で５％、より好ましくは最大で２％、最も好ましくは最大で１％のアミロースを含有するデンプンを意味することが意図される。高アミロース品種は、全てデンプンの重量の少なくとも３０％のアミロース、好ましくは少なくとも５０％のアミロース、より好ましくは少なくとも７０％のアミロース、更により好ましくは少なくとも８０％のアミロース、最も好ましくは少なくとも９０％のアミロースを含有するデンプンを意味することが意図される。デンプンは、当分野で既知の任意の方法により物理的に処理して、デンプンの粒状又は結晶質の性質の剪断又は変更などにより、機械的にデンプンを変化させることがあり、本明細書で使用する場合、転換及びアルファ化を含むものとする。当技術分野において既知の物理的処理方法としては、ボールミリング、均質化、高剪断混合、ジェット加熱又はホモジナイザーなどの高剪断調理、ドラム乾燥、噴霧乾燥、噴霧調理、冷却、ロールミリング及び押出、並びに低（例えば、最大で２ｗｔ％）及び高（２ｗｔ％超）水分含有デンプンの熱処理が挙げられる。デンプンはまた、当技術分野において既知の任意の試薬又は試薬の組み合わせによる処理によって化学的に変性され得る。化学的変性は、架橋、アセチル化、有機エステル化、有機エーテル化、（ヒドロキシプロピル化及びヒドロキシエチル化を含む）ヒドロキシアルキル化、リン酸化、無機エステル化、イオン性（カチオン性、アニオン性、非イオン性、及び双性イオン性）変性、コハク化、及び多糖類の置換コハク化を含むことが意図される。酸化及び漂白も含まれる。このような変性は、当技術分野において既知であり、例えば、Ｍｏｄｉｆｉｅｄ  ｓｔａｒｃｈｅｓ：Ｐｒｏｐｅｒｔｉｅｓ  ａｎｄ  Ｕｓｅｓ．Ｅｄ．Ｗｕｒｚｂｕｒｇ，ＣＲＣ  Ｐｒｅｓｓ，Ｉｎｃ．，Ｆｌｏｒｉｄａ（１９８６）において既知である。
【００６８】
本発明者らは、本発明による組成物が、ヒト及び動物の食品の混合、薄板成形、押出、ベーキング、フライ、及びローストの特徴にプラスの影響を与え、ソース、ディップ、飲料、スープ、及び他の液体、半液体及び／又は半固体製品のレオロジーを有利に変性し、興味深いテクスチャ、良好な外観などを有する製品を提供するのに有用であり得ることを観察した。
【００６９】
本発明はまた、本発明の粉末と、吸収改変剤、食欲改変剤、代謝改変剤、コレステロール改変剤又はそれらの任意の組み合わせなどの治療薬とを含む食餌組成物に関する。このような薬剤の例は、国際公開第２０１６／０８５３２２号に記載されており、その開示は、参照により本明細書に組み込まれる。
【００７０】
本発明はまた、本発明の粉末と、薬学的に許容される担体及び／又は賦形剤及び／又は希釈液を含む医薬組成物に関する。賦形剤／希釈液／担体（複数可）は、治療薬と適合性があり、そのレシピエントに有害ではないという意味で「許容性」でなければならない。
【００７１】
本発明は、海藻ベースの粉末、特に本発明の粉末を製造する方法（「本発明の方法」）に更に関し、本方法は、
ａ）海藻及び水を含有し、少なくとも５ｗｔ％の乾燥固形分（ＤＳ）含有量を有する、バイオマスを提供するステップと、
ｂ）バイオマスを浸出プロセスにかけて、海藻の内部に存在する水を浸出させるステップと、浸出された海藻を含む浸出されたバイオマスを得るステップと、
ｃ）任意選択で、浸出されたバイオマスを最大で４０ｗｔ％の水分レベルまで乾燥させて、乾燥した浸出されたバイオマスを得るステップと、
ｄ）浸出されたバイオマスを塩水で調理して、調理されたバイオマスを得るステップと、
ｅ）任意選択で、調理されたバイオマスを洗浄及び／又は乾燥させるステップと、
ｆ）ステップｄ）又はｅ）の調理されたバイオマスを海藻ベースの粉末に変換するステップと、
を含む。
【００７２】
本明細書で使用される場合、用語「乾燥固形分」（ＤＳ）は、固形分を含有する試料の総重量と試料中の水分又は水分含有量の重量との間の差である。
【００７３】
本発明の方法は、分解及び／又は発酵によって本質的に影響を受けない生海藻を使用することが好ましい。したがって、本発明の方法は海藻の発酵を伴わない、すなわち非発酵方法であることが非常に望ましい。
【００７４】
本発明の方法のステップａ）では、バイオマスを作製するために、海藻の全ての部分、例えば、仮根、茎及び葉を使用することができる。海藻は、全体的に、切断又は別の方法で機械的に操作して使用できる。有利には、海藻は、更に機械的操作を行うことなく、収穫されたまま使用される。有利には、海藻は切断し、仮根を無傷のまま残すことによって収穫し、その後の再成長を可能にする。このような収穫の別の利点は、海藻内の異物、特に砂、石などの不純物の存在を最小限に抑えるか、又は全く存在させないことである。最後に、このような方法は生態系（例えば海底）の再生を可能にし、したがって環境的に持続可能である。理想的には、海藻は養殖される。好ましくは、本発明の方法のステップａ）において、利用される海藻は生きた新鮮な海藻である。
【００７５】
バイオマスの含水量には、海藻の内部に存在し得る水（内部海藻水すなわち水和水）と、海藻に添加され得る水（例えば、その洗浄中）と、及び／又は収穫時に海藻に残った可能性のある水とが含まれる。収穫された海藻に、必要なバイオマスを提供するのに必要な量の水が含まれていない場合は、追加の真水又は海水を追加することがあり、好ましくは海水を使用し、最も好ましくは収穫場所の海水を使用する。
【００７６】
好ましくは、海藻は、例えば、石、砂、貝殻、プラスチック、魚、カニ、及び収穫前又は収穫後に海藻を汚染する可能性のある不純物などの異物を取り除くために洗浄される。洗浄は、真水又は海水での洗浄、又は当該目的のために典型的に使用される任意の他の洗浄方法によって行うことができる。好ましくは、洗浄は、海藻を保存するために収穫場所からの海水を用いて行われる。最終的な金属不純物を除去するために、海藻は磁石の前を通過され得る。
【００７７】
好ましくはステップａ）において、バイオマスは新鮮な海藻及び水を含み、非内部水の量は、バイオマスの総重量に対して少なくとも５ｗｔ％、より好ましくは少なくとも４５ｗｔ％、最も好ましくは少なくとも８５ｗｔ％である。
【００７８】
好ましくは、ステップａ）において、バイオマスは洗浄された海藻を含み、少なくとも１５ｗｔ％、より好ましくは少なくとも３０ｗｔ％、最も好ましくは少なくとも５５ｗｔ％のＤＳを有する。好ましくは、ＤＳは、最大で９５ｗｔ％、より好ましくは最大で８５ｗｔ％、最も好ましくは最大で８０ｗｔ％である。好ましくは、当該ＤＳは、５〜９５ｗｔ％、より好ましくは３０〜８５ｗｔ％、最も好ましくは５５〜８０ｗｔ％である。
【００７９】
好ましくは、ステップａ）において、バイオマスは、少なくとも５℃、より好ましくは少なくとも１０℃、最も好ましくは少なくとも２０℃の温度を有する。好ましくは、当該温度は、最大で４０℃、より好ましくは最大で３５℃、最も好ましくは最大で３０℃である。好ましくは、当該温度は、５〜４０℃、より好ましくは１０〜３５℃、最も好ましくは２０〜３０℃である。バイオマスは、好ましくは、まとめてバイオマスが上記の範囲内の温度を有することを保証する温度に維持される。
【００８０】
海藻を劣化させ得る任意の化学的処理、例えば酸若しくはアルカリ処理又は漂白試薬に海藻を曝さないことが望ましい。海藻の乾燥を促進しない条件など、本発明の方法のステップｂ）の浸出プロセスに理想的な条件で海藻を維持することも望ましい。理想的な条件としては、海藻を積み重ねた日陰の場所に海藻を保管することが挙げられる。
【００８１】
本発明の方法のステップｂ）を、浸出できる海藻を含むバイオマスに対して行うことが不可欠である。ステップｂ）のプロセスは、慎重に制御された環境で、海藻の内部、つまり、仮根、茎、葉の内部に存在する水（海藻の内部の水は海藻の水和水としても知られている）を浸出させることを目的としている。
【００８２】
好ましくは、ステップｂ）は、生バイオマス、すなわち、海藻の収穫と浸出ステップの開始との間で乾燥されなかったバイオマスを利用する。本明細書では、「生の、収穫した」海藻は、収穫後も生きたまま維持され、呼吸などの生物活動を有し、浸出する能力を有する海藻と理解される。生の収穫された海藻を、乾燥海藻と明確に区別すると、乾燥された海藻は死んでおり、呼吸などの生物活動を有さず、もはや浸出することができない。死んだ海藻はある程度水で再水和されることがあり、この場合、その水をいくらか浸出させ得るが、本発明の方法のステップｂ）において、再水和された死んだ海藻を利用することはあまり好ましくない。好ましくは、バイオマスもまた新鮮である。
【００８３】
本発明の方法のステップｂ）で利用されるバイオマスが生きて新鮮なバイオマスであることを確実にするために、好ましくはステップｂ）は、海藻の収穫から１５日以内、より好ましくは収穫から２日以内、更により好ましくは収穫から２４時間以内、最も好ましくは収穫から４時間以内に行われる。ステップｂ）を実行した後、浸出された海藻は、本発明の方法で使用される浸出プロセスが自然のプロセスであるため、植物学的及び分類学的に海藻として依然として認識され得る。
【００８４】
好ましくは、ステップｂ）において、海藻は自然の浸出プロセスを受け、すなわち、海藻の浸出は、真空、圧力、又は破砕、粉砕、圧搾、濾過などのような機械的処理の適用によって影響を受けない。自然な浸出プロセスは、能動的な生理学的プロセスであり、これにより、植物細胞は成分を植物に内部で輸送する、つまり主に水を浸出液として内部から海藻の表面に輸送する。自然な浸出プロセスは温度と湿度の影響を受けることができ、これらが上昇するとより速く発生し得る。浸出液は、典型的には、水、タンパク質、海及び海藻の塩、色素、植物ホルモン、ガム、その他の成分が含まれている。自然な浸出プロセスは、典型的には、収穫されることに対応する治癒及び防御作用である。海藻からの液の浸出は、汗に匹敵し、細孔を通って道管から発生し、細胞膜を破壊する。浸出液は、ミネラル、タンパク質、ガムに富んだ、及び自然の液であるため、飼料を製造するために更に処理され得る。
【００８５】
ステップｂ）における浸出プロセスは、好ましくは、注意深く調整された条件下で行われ、例えば、少なくとも５０ｗｔ％の水分、より好ましくは少なくとも７０ｗｔ％の水分、更により好ましくは少なくとも８０ｗｔ％の水分、更により好ましくは少なくとも９０ｗｔ％の水分、最も好ましくは少なくとも９５ｗｔ％の水分を含有する環境（以下、「浸出環境」）下で行われる。浸出環境の高い含水量に達するために、水、好ましくは海水を、海藻又は浸出環境内部に添加又は散布することができる。
【００８６】
好ましくは、浸出は、少なくとも２０℃、より好ましくは少なくとも３０℃、更により好ましくは少なくとも４０℃、更により好ましくは少なくとも５０℃、更により好ましくは少なくとも６０℃、最も好ましくは少なくとも７０℃の浸出温度で行われる。好ましくは、当該温度は、最大で１５０℃、より好ましくは最大で１２０℃、最も好ましくは最大で９０℃である。好ましくは、当該温度は、４０〜１５０℃、より好ましくは５０〜１２０℃、最も好ましくは６０〜９０℃である。このような温度を使用して、最適な浸出プロセスを保証する。
【００８７】
浸出の典型的な期間は、種、収穫の季節、浸出環境に存在する水分の量、及び浸出温度によって異なる。一般に、浸出の期間は、少なくとも３時間、好ましくは少なくとも８時間、より好ましくは少なくとも１２時間、最も好ましくは少なくとも２４時間であろう。好ましくは、浸出期間は、３時間〜１０日、より好ましくは８時間〜４日、最も好ましくは１２時間〜２日であろう。
【００８８】
浸出プロセスは、浸出した海藻、すなわち、乾燥又は脱水された海藻を含有するバイオマスをもたらす。好ましくは、当該プロセスは、海藻内部に存在する水の少なくとも５ｗｔ％、より好ましくは少なくとも１０ｗｔ％、最も好ましくは少なくとも１５ｗｔ％を抽出するために行われる。好ましくは、抽出される水の量は、海藻の内部に存在する水の最大で５０ｗｔ％、より好ましくは最大で３０ｗｔ％、最も好ましくは最大で２０ｗｔ％である。海藻内部の水分量は、一定時間間隔で海藻の試料を採取し、重量変化がなくなるまで１２０℃の温度で乾燥させる前後の海藻を計量することによって、決定することができる。
【００８９】
保存料は、細菌及び微生物の含有量を減らし、それによって浸出プロセスを助けるために、浸出プロセス中に海藻及び／又は浸出液に添加することができる。添加する場合、保存料は海藻又はその汁の最大で１ｗｔ％までの量で使用することが好ましい。保存料は、抗菌剤、例えばホルムアルデヒドであり得る。
【００９０】
好ましくは、浸出ステップが行われる環境は、閉鎖環境、すなわち、空気の流れが好ましくは１ｍ／ｓ未満である環境である。
【００９１】
浸出プロセスの間、バイオマスは均一に広げられることが好ましく、海藻の高すぎる積み上げが防止されることが好ましい。浸出中のバイオマス層の面密度は、好ましくは２〜５０Ｋｇ／ｍ２、より好ましくは５〜２０Ｋｇ／ｍ２、最も好ましくは１０〜１５Ｋｇ／ｍ２である。
【００９２】
好ましくは、ステップｂ）において、バイオマスは固体表面上に配置され、好ましくは、浸出液が回収されることを可能にするように傾斜している。浸出環境は、好ましくは、空気流を防ぐために、当該表面上に配置されたバイオマスを、閉じた収容空間内に封入することによって形成される。収容空間は、側部及び上部を有し、バイオマスを封入するのに適した任意の形状を有することができる。好ましくは、ステップｂ）は、浸出環境を直射日光の当たる場所に置くことにより、収穫場所で行われる。好ましくは、収容空間は、ターポリン、プラスチックホイル、ガラス又はプラスチックシートなどを使用して形成される。好ましくは、収容空間は、太陽光がバイオマスに到達できるように十分に透明である。収容空間内の湿度及び温度を望ましい範囲内に保つことを確実にするため、冷却又は加熱装置を使用できる。本発明者らは、このような単純な構成が優れた結果をもたらすことを観察した。
【００９３】
浸出されたバイオマスは、塩水で調理される前に、任意の乾燥プロセスにかけられ得る。乾燥ステップは、浸出されたバイオマスに含まれる水分の量を、バイオマスの重量に基づいて最大で４０ｗｔ％まで減少させることが好ましい。好ましくは、乾燥されたバイオマスの含水量は、最大で３５ｗｔ％、更により好ましくは最大で３０ｗｔ％、最も好ましくは最大で２５ｗｔ％である。好ましくは、当該乾燥されたバイオマスの含水量は、少なくとも５ｗｔ％、より好ましくは少なくとも１０ｗｔ％、最も好ましくは少なくとも１５ｗｔ％である。浸出されたバイオマスを調理前に乾燥させることにより、その操作をより容易にし得る。
【００９４】
任意の乾燥後及び調理前に、浸出されたバイオマスは、好ましくは、真水又は海藻水であり得る水の添加によって再水和される。再水和は、好ましくは、少なくとも２０ｗｔ％、より好ましくは少なくとも３０ｗｔ％、最も好ましくは少なくとも４０ｗｔ％のＤＳを有する再水和バイオマスをもたらす。好ましくは、ＤＳは、最大で８０ｗｔ％、より好ましくは最大で７０ｗｔ％、最も好ましくは最大で６０ｗｔ％である。好ましくは、当該ＤＳは、２０〜８０ｗｔ％、より好ましくは３０〜７０ｗｔ％、最も好ましくは４０〜６０ｗｔ％である。
【００９５】
バイオマスの含水量を低減するために、任意の乾燥方法を使用することができる。有利な乾燥方法は、除湿空気を使用する低温乾燥である。このような乾燥方法は、タンパク質、繊維、デンプン、及び他の栄養素などの海藻の感熱性化合物を保存する能力を有し、したがって海藻の質を保持する。他の技術には、換気チャンバ乾燥、オーブン乾燥、天日乾燥、（強制流）蒸発、フラッシュ乾燥、ゼオライト乾燥、流動床乾燥などが含まれ得る。
【００９６】
浸出されたバイオマス（乾燥及び再水和されているか否かに関係なく）は、続いて塩水中で調理され、調理されたバイオマスが得られる。塩水は、少なくとも１つの塩を含み、室温（２０℃）で、好ましくは溶液の総重量に対して少なくとも３ｗｔ％の塩濃度を有する水溶液である。好ましくは、塩の濃度は、少なくとも５ｗｔ％、より好ましくは少なくとも７ｗｔ％、最も好ましくは少なくとも１０ｗｔ％である。好ましくは、当該塩濃度は、最大で５０ｗｔ％、より好ましくは最大で４０ｗｔ％、最も好ましくは最大で３０ｗｔ％である。
【００９７】
調理は、好ましくは、少なくとも８５℃、より好ましくは少なくとも８６℃、更により好ましくは少なくとも８８℃、最も好ましくは少なくとも９０℃の調理温度で行われる。好ましくは、調理温度は、最大で１００℃、より好ましくは最大で９８℃、更により好ましくは最大で９６℃、最も好ましくは最大で９５℃である。好ましくは、調理温度は、８５〜１００℃、より好ましくは８６〜９６℃、更により好ましくは８８〜９６℃、最も好ましくは９０〜９５℃である。
【００９８】
調理時間は、好ましくは少なくとも２５分、より好ましくは少なくとも３０分、最も好ましくは少なくとも３５分である。好ましくは、調理時間は、最大で６０分、より好ましくは最大で５５分、更により好ましくは最大で５０分、最も好ましくは最大で４０分である。好ましくは、調理時間は、２５〜６０分、より好ましくは３０〜５５分、更により好ましくは３０〜５０分、最も好ましくは３０〜４０分である。
【００９９】
調理ステップは、バイオマスを当該溶液の槽内又は当該溶液の連続した槽内で塩水と接触させることによって実施することができる。調理プロセス中、好ましくは十分な塩水を使用して海藻全体を被覆する。例えば、閉じた容器内で調理を行うことによって、塩水の蒸発及び塩濃度の変化を防止するために、好ましくは配慮する。或いは、海藻が空気に曝されるのを防ぐために、調理中に水を加えることができる。
【０１００】
本発明の目的に非常に効果的であることが見出された塩水は、塩化ナトリウム又は塩化カリウムの溶液である。しかしながら、塩化ナトリウム又は塩化カリウム以外の任意の塩を使用できることが理解され、非限定的な例には、他の塩化物塩、硫酸塩、硝酸塩、炭酸塩、リン酸塩、有機酸の塩及びそれらの組み合わせが挙げられる。唯一の条件は、塩が、必要な濃度の塩水の形成を可能にするのに十分に可溶性であるべきことである。塩は、その反応において過度に酸性でも塩基性でもないこと、すなわち、水溶液において、溶液のｐＨは、好ましくは６．０〜１０．０であることが好ましい。生成された海藻ベースの粉末が、食品、飼料、パーソナルケア又は医薬品に利用されることを意図している場合、好ましくは、塩は、そのような製品中に存在が許容される塩である。
【０１０１】
本発明者らは、このような注意深い調理プロセスが海藻の劣化を防止し、優れた特性を有する粉末の製造に役立ち得ることを観察した。更に驚くべきことに、本発明者らは、調理ステップが本発明の粉末の分散性を改善し得ることを観察した。本発明の粉末は、塊又は粒子を発生させることなく水性媒体の内部に均一に分散させることができるが、未調理の海藻は目に見える粒子を生成することが観察された。調理後、バイオマスは、次の洗浄ステップの前に水を除去するために濾過ステップにかけられ得る。濾過は、多くが既知である任意の好適な種類の装置、例えば、フィルタプレス円筒型フィルタなどによって達成することができる。必要に応じて、遠心機を使用することもできる。
【０１０２】
本発明者らはまた、浸出及び調理の組み合わせが、色、味及びレオロジー特性の最適な組み合わせを有する海藻ベースの粉末をもたらすことを観察した。
【０１０３】
本発明のプロセスのステップｅ）によれば、バイオマスを洗浄する。例えば流水下ですすぐこと、バイオマスを大量の水に入れること、及びそれらの組み合わせとして、任意の洗浄方法を使用することができる。洗浄は、１つ若しくはいくつかの水槽中で、適切な撹拌手段を備えたタンク中で、又は併流若しくは向流構成において、バッチ又は連続システムなどの任意の洗浄システムにおいて実施され得る。バイオマスを真水で数回すすいだときに良好な結果が得られた。
【０１０４】
乾燥させる前に、洗浄したバイオマスを濾過ステップにかけて水を除去し、乾燥を補助することができる。濾過は、多くが既知である任意の好適な種類の装置、例えば、フィルタプレス、円筒型フィルタ、プレス、篩いなどによって達成することができる。必要に応じて、遠心機を使用することもできる。
【０１０５】
洗浄したバイオマスを、当該バイオマスの機械的操作を可能にするのに好適な含水量に乾燥させる。真空乾燥機、ドラム乾燥機、空気リフト乾燥機などのような任意の種類の乾燥機を使用することができる。好ましくは、乾燥されたバイオマスの含水量は、最大で２５ｗｔ％、更に好ましくは最大で２０ｗｔ％、更により好ましくは最大で１５ｗｔ％、最も好ましくは最大で１２ｗｔ％である。好ましくは、当該バイオマスの含水量は、少なくとも４ｗｔ％、より好ましくは少なくとも６ｗｔ％、更により好ましくは少なくとも８ｗｔ％、最も好ましくは少なくとも１０ｗｔ％である。好ましくは、当該含水量は、最大で２０ｗｔ％、より好ましくは最大で１５ｗｔ％、最も好ましくは最大で１２ｗｔ％である。好ましくは、当該含水量は、４ｗｔ％〜２０ｗｔ％、より好ましくは６ｗｔ％〜１５ｗｔ％、最も好ましくは８ｗｔ％〜１２ｗｔ％である。
【０１０６】
乾燥されたバイオマスは、機械的処理を使用することによって海藻ベースの粉末に転換され得る。機械的処理としては、例えば、切断、ミリング、プレス、研削、剪断、及びチョッパが挙げられる。ミリングには、例えば、ボールミリング、ハンマーミリング、円錐又はコーンミリング、ディスクミリング、エッジミリング、ロータ／ステータ乾式若しくは湿式ミリング、又は他の種類のミリングが含まれ得る。他の機械的処理は、石の研削、亀裂、機械的リッピング又は引き裂き、ピン研削、バリ研削、又は空気摩擦粉砕を含み得る。機械的処理は、例えば、表面積、多孔度、かさ密度などの特定の形態特性を有する粉末を生成するように構成することができ、繊維状海藻の場合、長さ対幅比などの繊維特性を有する粉末を生成するように構成することができる。
【０１０７】
必要に応じて、得られた粉末をスクリーンに通すことができ、例えば、０．２５ｍｍ以下の平均開口サイズを有することができる。
【０１０８】
バイオマスは、プロセス中の任意のステップで、好ましくはステップｂ）の後に、滅菌ステップにかけられて、微生物叢を減少させ、及び／又は有害な種を除去し得る。海藻の表面は、一般に生物膜内で多様な微生物叢（例えば、真菌、細菌、ウイルス、胞子形態など）を支持し、一部の種、例えば大腸菌及びエンテロコッカスは、ヒトに有害であることが知られている。滅菌は、熱、照射、高圧、及び濾過を適切に組み合わせて行うことで達成され得る。水の存在下又は非存在下での熱処理は、微生物レベルを低下させることが知られている。例えば、湿気の多い環境で海藻を１２１℃で少なくとも１０分間処理すると、確実に無菌状態になることが知られている。ガンマ線又はマイクロ波による照射、オゾン処理、パルス光処理、アルコールによる消毒及びそれらの組み合わせを含む他の滅菌方法を使用し得る。
【０１０９】
本発明の方法により得られる／得ることができる粉末は、前述のように有利な特性を有し、それを含む様々な製品の特性を高めるために使用することができる。したがって、本発明はまた、本発明の方法によって得られる／得ることができる海藻ベースの粉末に関する。
【０１１０】
本発明の粉末又は本発明の任意の組成物は、食品又は飼料の成分若しくは製品の一部を形成し得る（又はそれらであり得る）。したがって、本発明の一態様は、本発明の粉末又は本発明の組成物のいずれかを含む食品又は飼料の成分に関する。本文脈において、「食品」は、ヒトの摂取に適したな食用材料を指し、一方、飼料は、動物の摂取に適した食用材料を指す。食品又は飼料の成分はまた、食品又は飼料の製品の一部を形成し得る。
【０１１１】
本発明は更に、本発明の粉末及び栄養素を含有する食品又は飼料の製品に関する。いかなる理論にも拘束されることなく、発明者らは、当該食品又は飼料の製品を摂取する者による栄養素摂取の動力学及び速度論は、本発明の粉末の有利な特性によってプラスの影響を受けると考える。
特に、本発明の粉末は、食品の機能性（栄養、感覚、及び物理化学）に関連する輸送、拡散、及び溶解現象の最適化を可能にし得る。更に、当該製品は、特定の流動挙動、テクスチャ、及び外観を有するように容易に設計され得る。したがって、当該食品機能性を最適化する本発明の粉末の能力は、食品構造の設計に非常に有益であることがあり、これは、古典的なニーズ（例えば、テクスチャ及び口当たり）と共に、異なる生理学的応答をトリガするために調節された消化を含むウェルネス及び健康に対する影響を強化し得る。
【０１１２】
本発明の粉末又は本発明の組成物のいずれかはまた、工業製品、例えば、シーラント、接着剤、紙、及び他の建築材料の製造に使用され得る。
【０１１３】
本発明の粉末は、多種多様な食品組成物の製造に好適に使用される。本発明が関連する、本発明の粉末を含む食品組成物の例には、コーヒー、茶、例えば紅茶又は緑茶並びに粉末緑茶又は粉末紅茶、ココア、小豆のスープ、ジュース、大豆ジュースなどの飲料及び高級飲料と、生乳、加工乳、乳酸飲料などの乳成分含有飲料と、カルシウム強化ドリンクなどの栄養富化飲料、及び食物繊維含有飲料などを含む様々な飲料と、バター、チーズ、ヨーグルト、コーヒーホワイトナー、ホイップクリーム、カスタードクリーム、カスタードプリンなどの乳製品と、アイスクリーム、ソフトクリーム、ラクトアイス、アイスミルク、シェーベート、冷凍ヨーグルトなどのアイスクリーム製品と、マヨネーズ、マーガリン、スプレッド、ショートニングなどの加工された脂肪食品製品と、スープと、シチューと、ソース、タレ、（調味料ソース）、ドレッシングなどの調味料と、練りマスタードに代表される様々なペースト調味料と、ジャムや粉末のペーストに代表される様々なフィリングと、小豆ジャム、ゼリー、及び嚥下障害者用の食品を含む、様々な又はゲル若しくはペースト状の食品製品と、パン、麺、パスタ、ピザパイ、コーンフレークなどの穀物を主成分とする食品製品と、キャンディ、クッキー、ビスケット、ホットケーキ、チョコレート、餅などの日本、アメリカ、ヨーロッパのケーキと、かまぼこ、魚肉団子等に代表される海産物の練り物と、ハム、ソーセージ、ハンバーガーステーキなどに代表される家畜及び食肉ベースの製品と、クリームコロッケ、中華ペースト、グラタン、餃子などの総菜と、塩漬けの魚の内臓、酒粕漬けなどの繊細な風味の食品と、経管栄養流動食などの流動食と、サプリメント、及びペットフードと、クリーマ（乳製品及び非乳製品）、コンデンスミルク、アルコール飲料、特に、例えば、アイリッシュクリームウイスキーなどの乳製品を含有するもの、及びスポーツドリンクと、が含まれる。これらの食品は、レトルト食品、冷凍食品、電子レンジ食品などに見られるように、製造時の形状や加工操作の違いに関係なく、全て本発明に含まれる。その自然の味及び臭いによって、このような食品製品は、海藻の自然な味や香りの影響を受けないか、又は影響が少ない。
【０１１４】
本発明は更に、乳製品、例えば（例えば、スプーンで食べる、飲用可能、及び冷凍）ヨーグルト、サワークリーム、チーズ製品、（チーズ及びホワイト）ソース、プリン、及び冷凍デザートにおける、本発明の粉末の使用に関する。予想外に、本発明の粉末は、結果として得られる滑らかなテクスチャを有する乳製品に使用することができ、本質的に粘度又はクリーム性の損失がないことが観察された。当該発明の粉末は、乳製品の成分又は添加物として、つまり、そのような製品に含まれる脂肪に加えて、使用することができる。或いは、当該発明の粉末を使用して、乳製品中の脂肪の一部又は全てを置換して、低脂肪又は無脂肪の製品を得ることができ、その場合、そのような使用は、最終乳製品のカロリー含有量の低下をもたらし得る（例えば、少なくとも１０％、又は少なくとも５０％の削減）。
【０１１５】
本明細書で使用される場合、添加剤は、明確な目的のために低濃度で基材に添加される任意の物質を意味する。米国では、食品医薬品局が添加物の安全性及び毒性を評価した後、食品添加物の許容レベルを設定する。マヨネーズでの乳化剤の使用やパン製品での膨張剤の使用など、添加剤は最終製品の存在に不可欠なことがある。或いは、添加剤は、二次的機能を果たしてもよく、例えば、増粘剤、風味料、又は着色剤として機能し得る。本明細書に記載される本発明の粉末は、乳製品中の添加剤としてだけでなく、成分としても使用され得る。
【０１１６】
本明細書で使用される乳製品は、バター、チーズ、アイスクリーム、プディング、サワークリーム、（例えば、スプーンで食べる、飲用可能、及び冷凍）ヨーグルト及びコンデンスミルクを含む、乾燥形態又は非乾燥形態であるか否かにかかわらず、ミルク又は非植物性ミルク（例えば、牛乳、羊乳、ヤギ乳など）から調製されるミルク又は任意の食品製品を意味する。また、植物性ミルク、例えば、大豆ミルク、及び植物性ミルクベースの製品で製造された製品もまた、本明細書に記載の実施例において使用することができる。
【０１１７】
本明細書では、チーズは、しばしば調味され熟成された、圧縮された凝乳から調製された食品と理解される。
【０１１８】
脂質は、脂肪及び／又は脂肪由来材料を含む製品を表す用語である。本明細書では、脂肪は、グリセロール及び３つの脂肪酸のエステルとして理解される。脂肪酸は、典型的には４〜２２個の炭素原子の長さの炭素鎖を有し、通常、鎖中に偶数の炭素原子を有するカルボン酸である。脂肪酸は、飽和していることができ、つまり二重結合を含まないか、又は不飽和であってもよく、つまり、１つ以上の二重結合を含有する。脂肪は、動物製品及びいくつかの植物性製品の両方において見出され得る。
【０１１９】
本明細書では、アイスクリームは、乳製品と風味料の凍結混合物から調製された、滑らかで甘い冷たい食品として理解される。米国では、アイスクリームには最低１０％の乳脂肪と１０％の無脂肪乳固形分が含まれている（２  １  Ｃ．Ｆ．Ｒ．§１３５．１  １０を参照）。ただし、アイスクリームに含まれる乳脂肪及び無脂肪乳固形分の必要な割合は他の国や管轄区域で異なり得るため、本開示はこの特定の範囲に限定されない。
【０１２０】
ヨーグルトは、本明細書において、クリーム、ミルク、部分的に脱脂されたミルク、又は、脱脂乳を、ラクトバシラス・デルブリュッキイ（Lactobacillus delbrueckii ssp.）及びストレプトコッカス・サーモフィルス（Streptococcus thermophilus）などの乳酸産生菌を含有する特徴的な細菌培養物で培養することによって製造された乳製品として理解される。例示的なヨーグルトには、スプーンで食べるヨーグルト、ヨーグルトディップ、フローズンヨーグルト、及び飲用ヨーグルトが含まれるが、これらに限定されない。２  １  Ｃ．Ｆ．Ｒ．§１３  １．２００の定義により、米国の通常のヨーグルトには、少なくとも３．２５％の乳脂肪が含まれている。通常のヨーグルトの脂肪含量は、典型的には３．２５％〜約３．８％の範囲であるが、約１０％の脂肪含有量を有するヨーグルトも市場に存在する。２１  Ｃ．Ｆ．Ｒ．§１３  １．２０３に定義されているように、米国では、低脂肪ヨーグルトは、０．５％以上の乳脂肪且つ２％以下の乳脂肪である。２  １  Ｃ．Ｆ．Ｒ．§  １３１．２０６で定義されているように、米国では無脂肪ヨーグルトの乳脂肪は０．５％未満である。しかしながら、他の国では他の範囲が観察され得る。
【０１２１】
乳製品は、当業者に既知の方法、例えば、国際公開第２００９／０７９００２号の方法を使用して調製することができるが、本発明の粉末は、当該製品中の脂肪の一部又は全てを置き換えるために添加又は使用される。当該発明の粉末は、乳製品の製造中にいくつかのポイントのうちの１つで添加することができ、例えば、低温殺菌の前にミルクに添加され得る。当該発明の粉末は、その乾燥形態で添加されることができるか、或いは水性分散体は、水性環境中に当該発明の粉末を分散させ、次いで、当該分散体をミルクに添加することによって調製され得る。
【０１２２】
本発明の粉末は、乳製品中の脂肪の一部又は全てを置き換えるために使用することができる。好ましくは、当該発明の粉末は、脂肪の少なくとも５％を置換するのに十分な量で使用され、より好ましくは、当該量は、当該脂肪の少なくとも１０％、更により好ましくは少なくとも２０％、更により好ましくは少なくとも５０％、更により好ましくは少なくとも７５％、最も好ましくは実質的に全ての脂肪を、当該発明の粉末に置換するのに十分な量で使用される。
【０１２３】
本発明の粉末は、好ましくは、製品の重量に対して最大で１０ｗｔ％、より好ましくは最大で７ｗｔ％、更により好ましくは最大で５ｗｔ％、最も好ましくは最大で３ｗｔ％の量で乳製品に添加される。好ましくは、当該量は、０．０１〜１０ｗｔ％、より好ましくは０．０３〜７ｗｔ％、最も好ましくは０．０５〜５ｗｔ％である。
【０１２４】
本発明の粉末及び本発明による任意の組成物はまた、化粧品製剤に使用され得る。したがって、本発明は、当該粉末又は当該組成物を含む化粧品製剤に関する。化粧品製剤の非限定的な例としては、基本化粧品（洗顔料、ミルク、クリーム、軟膏、ローション、オイル及びパック）、洗顔剤、皮膚洗浄剤、シャンプー、リンスなどの毛髪化粧品、及び口紅、ファンデーション、頬紅、アイシャドウ、マスカラなどのメーキャップ化粧品が挙げられる。
【０１２５】
本発明の粉末及び本発明による任意の組成物はまた、バスソルト、練り歯磨き、脱臭剤、生理用コットン、ウェットティッシュなどに利用され得る。したがって、本発明はまた、当該粉末又は当該組成物を含有するそのような製品に関する。
【０１２６】
本発明の特定の実施形態の任意の特徴を、本発明の任意の他の実施形態で利用し得る。「備える（comprising）」という用語は、「含む（including）」を意味することを意図しているが、必ずしも「からなる（consisting of）」又は「から構成される（composed of）」という意味ではない。つまり、列挙されたステップ又はオプションは、網羅的である必要はない。以下の説明で与えられる実施例は、本発明を明確にすることを意図しており、本発明をそれらの実施例自体に限定することを意図するものではないことに留意されたい。同様に、全ての百分率は、別途記載のない限り重量／重量パーセントである。実施例及び比較実験を除いて、又は別様に明示的に示されている場合を除き、材料の量又は反応条件、材料の物理的特性、及び／又は使用を示すこの説明の全ての数字は、「約」という語によって修飾されるものとして理解されるべきである。別段の指定がない限り、「ｘ〜ｙ」の形式で表される数値範囲は、ｘ及びｙを含むと理解される。特定の特徴の場合、複数の好ましい範囲が「ｘ〜ｙ」の形式で記載される場合、異なる端点を組み合わせる全ての範囲も企図されていることが理解される。本発明の目的のために、周囲温度（又は室温）は、摂氏約２０度の温度として定義される。
測定方法
・Ｃｌ−量は、ＡｇＮＯ３による電位差滴定（Ｍｅｔｒｏｈｍ）によって測定した。２００〜３００ｍｇの試料（Ｗ試料）を、２５０ｍＬビーカー内の１５０ｍＬの浸透水に添加した。試料の均質な分散が達成されるまで、試料を撹拌した。４〜５滴の発煙硝酸を試料に添加した。滴定は、ポテンショメータ（６８２  Ｔｉｔｒｏｐｒｏｃｅｓｓｏｒ、Ｍｅｔｒｏｈｍ）及び複合電極Ａｇ／ＡｇＮＯ３を用いて行った。塩化物のｗｔ％は、式：％Ｃｌ−＝Ｖ×Ｃ×Ｍ［Ｃｌ］×１００／Ｗ試料で直接計算することができ、式中、Ｍ［Ｃｌ］は３５．５ｇ／ｍｏｌであり、Ｖは使用されるＡｇＮＯ３（ｍＬ）溶液の体積であり、Ｃはその濃度、すなわち０．１Ｎである。
・ＡＩＭは、２５０ｍＬビーカー内の１５０ｍＬの浸透水中に０．５ｇの試料（Ｗｓａｍｐｌｅ）を分散させることによって測定した。１．５ｍＬの濃硫酸を加えた。ビーカーをプラスチックホイルで覆って蒸発を防止し、沸騰温度で２時間ベンマリーで加熱した。分散体を４０００  ｒｐｍ（３２５０ｇに相当）で１０分間遠心分離した。
ＡＰ２５フィルタ及び結晶皿の総質量（Ｗフィルタ＋皿）を決定した。酸性分散液を濾過し、（ｐＨ紙で確認して）そのｐＨが中性を維持するまで５０℃の浸透水ですすいだ。約５００  ｍＬの水を使用した。
試料を有するフィルタを室温で一晩乾燥させ、６０℃のオーブン内で１日更に乾燥させ、試料、フィルタ及び皿の総重量を決定した（Ｗ最終）。ＡＩＭ（％）＝［（Ｗ最終−Ｗフィルタ＋皿）／Ｗ試料］×１００．
・ＡＩＡを以下のように測定し、２．０００（２）グラム（Ｗ試料）の試料をシリカ又は白金るつぼ上に置き、５００℃のホットプレート上で約１時間燃焼し、その後５５０℃の炉内に１６時間置いた。得られた灰を、１０ｍＬの濃ＨＣｌ及び２０ｍＬの脱塩水を含有する溶液に添加した。灰を含有する溶液を約３０分間８０℃に加熱し、続いてＷｈａｔｍａｎ  Ｎ°４０（無灰フィルタ）を用いて濾過した。灰を含むフィルタを、試料中にＣｌ−が検出されなくなるまで水ですすいだ。試料中のＣｌ−の存在をＡｇＮＯ３で確認した（ＡｇＣｌの沈殿はＣｌ−の存在を意味する）。
第２のシリカ又は白金るつぼを５５０℃のオーブンに１０分間入れ、次いでデシケータ内で室温に冷却した。続いて、るつぼを、水を含まない環境で計量（Ｗるつぼ）した。灰を含むフィルタをるつぼ上に置き、室温から５００℃まで、少なくとも１時間にわたって、ホットプレート上で徐々に加熱した。次に、るつぼを炉に移し、８００℃で１６時間加熱した。デシケータ内で室温に冷却した後、水を含まない環境でるつぼの重量を再度測定した（Ｗるつぼ＋灰）。ＡＩＡ（％）＝［（Ｗるつぼ＋灰  −  Ｗるつぼ）／Ｗ試料］×１００。
・Ｄ５０，Ｄ９０，Ｄ１０及びＤ［４，３］：粒径分布を決定する方法は、米国薬局方（ＵＳＰ４０）の方法＜４２９＞に準拠し、ＩＳＯ規格１３３２０−１に基づく。試料粉末を最初に振動ホッパー内に注ぎ、Ｍａｓｔｅｒｓｉｚｅｒ  ３０００（Ｍａｌｖｅｒｎ）を定期的に流す。空気分散装置を使用して、検出器が十分な信号対雑音比に到達し、複数の散乱を回避するために、１〜１５％の光を遮って粉末粒子をレーザビームによって吹きつけた。異なる角度で粒子によって散乱された光は、多素子検出器によって測定される。赤色及び青色光を使用して、Ｍｉｅ理論に結び付けると、体積サイズ分布の計算が可能になり、粒子は球体と見なされ、したがって同等の球サイズが決定された。得られたサイズ分布から、１０、５０及び９０％での累積体積分率が決定され、それぞれＤ１０、Ｄ５０及びＤ９０を得た。メジアン径Ｄ５０は、粉末の粒径の考えを提供するが、Ｄ１０及びＤ９０は、より微細及びより粗い粒径を定量化することを可能にする。
・ＣＩＥＬＡＢ  Ｌ＊、ａ＊、及びｂ＊は、Ｉｎｔｅｒｎａｔｉｏｎａｌ  Ｃｏｍｍｉｓｓｉｏｎ  ｏｎ  Ｉｌｌｕｍｉｎａｔｉｏｎ（Ｃｏｍｍｉｓｓｉｏｎ  Ｉｎｔｅｒｎａｔｉｏｎａｌｅ  ｄ’Ｅｃｌａｉｒａｇｅ）によって指定される最も完全な色空間を表す。これは、人間の目に見える全ての色を記述し、参照として使用されるデバイスに依存しないモデルとして機能するように作成された。試料のＬ＊値とｂ＊値は、試料を比色計の（約半分充填された）ガラスセルに配置することによって取得される。使用した比色計は、Ｍｉｎｏｌｔａ  ＣＲ４００  Ｃｏｌｏｒｉｍｅｔｅｒであった。
・レオロジー測定
レオロジー測定のための試料調製
再構成された脱脂乳を水性媒体として使用した。粉末形態の脱脂乳は、Ｉｓｉｇｎｙ−Ｓｔｅ−Ｍｅｒｅ（Ｉｓｉｇｎｙ，フランス）によって提供された。脱脂乳は、室温で４時間撹拌しながら、粉末脱脂乳を１０％ｗ／ｗで超純水（１８．２ＭΩ．ｃｍ抵抗率）に溶解して再構成された。特に、１０００ｇの再構成脱脂乳を調製するために、１０８．６６ｇの脱脂乳粉末（ＤＳ＝９２．０３ｗｔ％）を、８９１．３４ｇの超純水に溶解した。様々な海藻ベースの粉末の分散体を、再構成した脱脂乳中に様々な割合（０．１〜１％ｗ／ｗ乾燥物基準）で調製した。海藻ベースの粉末を好適な最終比例で秤量し、５ｗｔ％スクロース（再水和を促進するため）と完全に混合し、磁気撹拌（５００ｒｐｍ）下で、再構成した脱脂乳中にゆっくりと分散させた。撹拌を室温で３０分間維持した。続いて、試料を５００ｒｐｍで撹拌しながら約３０分間８０℃に加熱し、この温度で更に３分間保持した。
貯蔵弾性率Ｇ’の測定
レオロジー測定は、上面と下面の両方にクロスハッチングが施された５０ｍｍのｐｌａｔｅ−ａｎｄ−ｐｌａｔｅ形状を備えたＭＣＲ  ３０２制御応力レオメータ（Ａｎｔｏｎ  Ｐａａｒ  Ｐｈｙｓｉｃａ）を使用して行われました。レオメータはまた、ペルチエ温度制御装置も備えている。間隙を１ｍｍで固定した。試料の縁部上のパラフィン油の薄層によって試料を被覆して、測定中の蒸発を回避した。動的振動又は粘弾性測定値を選択して、各配合システムのゲル化速度及びテクスチャ化特性を評価した。これらの測定のために、試料を、８０℃で予熱したＭＣＲ  ３０２プレート上に注ぎ、８０℃から１０℃まで温度掃引試験（２℃／分）に供し、続いて０．４Ｈｚの周波数で１５分間の時間掃引実験に供して、再編成（構造再配置）により、システムが１０℃でのこの検討された時間後に平衡状態に達することを確実にした。続いて、試料は、０．２％に固定された線形粘弾性領域（ＬＶＥ）の一定の剪断歪みで１００〜０．０１Ｈｚの周波数掃引に供された。粘弾性測定がＬＶＥドメインで確実に実行されるように、０．４Ｈｚで歪み掃引実験が０．０１％から１００％まで実施された。
全てのこれらのレオロジー実験において、各測定は、少なくとも２回実施された。
データ処理：Ｇ’
この特許において考慮されるＧ’値は、１０℃で０．４Ｈｚの機械的スペクトル（周波数掃引試験）から収集された。実際に、機械的スペクトルは、得られたゲルの実際の構造的挙動を表すため、このＧ’値を最も適切なパラメータとして使用することが好適であるように見えた。
様々な濃度の全ての調査された試料について得られたＧ’値に基づいて、データを説明するために、べき法則関係（式１を参照）を使用した。Ｃ＊は、それ以下ではゲル様挙動が存在しない最低濃度を表し、又は臨界ゲル化濃度を暗示的に表すことに留意されたい。Ｃは海藻ベースの粉末濃度（乾燥物基準）であり、ｎは、フィッティングモデルの指数値を表し、ｋ及びｋ’は、フィッティングモデルの定数係数である。
Ｇ’＝ｋ’＊（Ｃ−Ｃ０）ｎ    式１
試料を比較するために、式２〜４を使用した。
Ｇ’＝ｐ＊ｋ＊Ｃｎ    式２
Ｇ’試料  Ａ＝ｋ＊Ｃｎ    式３
Ｇ’試料  Ｂ＝ｐ＊ｋ＊Ｃｎ    式４
式中、ｐは並進シフト係数である。ｐ＝１の場合、試料Ａは試料Ｂと同様のゲル強度を示すことを意味する。ｐ＞１の場合、試料Ｂは試料Ａよりも高いＧ’を表示することを意味する。ｐ＜１の場合、試料Ｂは試料Ａよりも低いＧ’を表示することを意味する。
データ処理：Ｃ０
Ｃ０の決定のために、以下のステップを考慮した。
（ｉ）上記の機械的スペクトルから収集された貯蔵弾性率Ｇ’値を、海藻ベースの粉末濃度Ｃ（％、ＤＳ）の関数として対数スケールでプロットした（図１を参照）。
図１において、破線及び実線は、それぞれ、実験データ（生データ）及び推定データに対するべき法則の式３及び１のフィッティングを表す。図１で使用されるデータは、それぞれ、実施例１及び比較例１に属する。
（ｉｉ）文献に記載されているアプローチに従う（例えばＡｇｏｄａ−Ｔａｎｄｊａｗａ、Ｇ．、Ｄｉｅｕｄｅ−Ｆａｕｖｅｌ、Ｅ．、Ｇｉｒａｕｌｔ、Ｒ．＆Ｂａｕｄｅｚ、Ｊ．−Ｃ．（２０１３）。Ｃｈｅｍｉｃａｌ  Ｅｎｇｉｎｅｅｒｉｎｇ  Ｊｏｕｒｎａｌ，２２８，７９９−８０５）式Ｇ’＝ｋＣｎは、線形回帰を使用して、Ｇ’＝ｋ’（Ｃ−Ｃ０）ｎの形式に数学的に変換された。この第２の式では、ｋ’は倍率を表し、Ｃ０は、それ以下ではゲル様挙動が得られない濃度を表す。Ｇ’＝ｋＣｎ＝ｋ’（Ｃ−Ｃ０）ｎの条件に従って、全ての調査された海藻ベースの粉末について線形回帰を実施し、両方の指数（ｎ）値は同一であり、Ｃ＞Ｃ０であることに留意されたい。
上記のフィッティングモデルを使用して決定されたＣ０の検証は、上述のものと同様の条件で全ての海藻ベースの粉末のレオロジー挙動を評価して、ゲル様挙動を証明することによって検証された。
【０１２７】
本発明は、以下の実施例及び比較実験を用いて説明するが、これに限定されるものではない。
実施例１：カッパフィカス属アルベレッチー種（Kappaphycus alvarezii）ベースの粉末
【０１２８】
新鮮な収穫された（収穫から６時間未満）カッパフィカス属アルベレッチー種（Kappaphycus alvarezii）（キリンサイ属コットーニィ種（Eucheuma cottonii））海藻を海水で洗浄し、ＤＳが約１０ｗｔ％のバイオマスを作成するために使用した。収穫場所からの海水を使用した。バイオマスを木製のテーブルの上に置いて、面密度が約１０  Ｋｇ／ｍ２のバイオマスベッドを形成した。テーブルは日当たりの良い場所に置かれ、透明なターポリンで覆って完全に密閉され、空気の流れを防止した。太陽の作用により、ターポリンの下の温度は約６０℃、湿度は９０％を超えた。海藻は、天候に応じて２４時間から７２時間の間、この環境で自然に浸出させた。
【０１２９】
浸出後、ターポリンを取り外し、バイオマスを太陽の下で更に２４時間戸外に置いて乾燥させ、約７８ｗｔ％のＤＳに到達させた。
【０１３０】
続いて、乾燥したバイオマスを、海藻を完全に覆うのに十分な量の水道水に入れ、海藻を撹拌せずに室温で１時間再水和させた。次に、フィルタを使用して再水和した海藻を収集し、ＤＳが約４０ｗｔ％のバイオマスが得られた。
【０１３１】
再水和された海藻を含有するバイオマスを、塩水（１００ｇ／Ｌ  ＫＣｌ）中で９０℃で３０分間調理した。調理に使用した塩水の重量は、海藻の質量の約６倍であった。調理後、塩水を浸出し、回収した海藻を、室温で１０分間ある容量の水道水中に置くことによって２回洗浄した。海藻を完全に覆うために十分な水を使用した。
【０１３２】
次いで、海藻をフィルタを使用して収集し、ベルト乾燥機を用いて６０℃で３０分間乾燥させ、約９４．９％ＤＳの最終製品をもたらした。乾燥した製品を、Ｒｅｔｓｃｈミル（０．２５ｍｍの最終篩い）で粉砕して粉末にした。得られた海藻ベースの粉末の特性を表１に示す。
【表１】
2021517178.tif 000003
実施例２：カッパフィカス属アルベレッチー種（Kappaphycus alvarezii）ベースの粉末
【０１３３】
実施例１を繰り返したが、調理に使用した塩水の重量は海藻の質量の１０倍であり、調理後、回収した海藻は実施例１と同様に２回洗浄した。調理された海藻を、約９１．５ｗｔ％の最終ＤＳに乾燥させた。得られた海藻ベースの粉末の特性を表２に示す。
【表２】
2021517178.tif 000004
実施例３：ツノマタ属トチヤカ種（Chondrus crispus）海藻ベースの粉末
【０１３４】
新鮮なツノマタ属トチヤカ種（Chondrus crispus）を野生のものから収穫した。これを実施例１と同様に処理し、ターポリン下で３〜７２時間維持した。場合によっては、海藻を浸出中にひっくり返して、日光に均一に曝した。次いで、海藻を、天候に応じて１〜３．５日間の範囲にわたって天日乾燥させて、ＤＳが約６５ｗｔ％（約３５ｗｔ％の水分）に到達するようにした。海藻を実施例１と同様に更に処理した。
【０１３５】
続いて、乾燥したバイオマスを、海藻を完全に覆うのに十分な量の水道水に入れ、海藻を撹拌せずに室温で１時間再水和させた。次に、再水和した海藻をフィルタを使用して収集し、約４０  ｗｔ％のＤＳを有するバイオマスを得た。
【０１３６】
再水和された海藻を含有するバイオマスを、塩水（３５０ｇ／Ｌ  ＫＣｌ）中で９０℃で３０分間２回調理した。調理に使用した塩水の重量は、海藻の質量の約１６倍であった。調理後、塩水を浸出し、回収した海藻を、室温で１０分間ある容量の水道水中に置くことによって洗浄した。海藻を完全に覆うために十分な水を使用した。
【０１３７】
次いで、海藻をフィルタを使用して収集し、ベルト乾燥機を用いて６０℃で３０分間乾燥させ、約９４．３％ＤＳの最終製品をもたらした。乾燥した製品を、Ｒｅｔｓｃｈミル（０．２５ｍｍの最終篩い）で粉砕して粉末にし、０．２５ｍｍで篩いにかけた。得られた海藻ベースの粉末の特性を表３に示す。
【表３】
2021517178.tif 000005
実施例４：キリンサイ属スピノサム種（Eucheuma spinosum）海藻ベースの粉末
実施例１を繰り返したが、海藻はキリンサイ属スピノサム種（Eucheuma spinosum）であり、塩水は２５０ｇ／ＬのＫＣｌを含み、調理したバイオマスは水中で３回洗浄した。得られた海藻ベースの粉末の特性を表４に示す。
【表４】
2021517178.tif 000006
比較実験１−３
【０１３８】
新鮮な収穫された（収穫から６時間未満）海藻を２４時間太陽の下で戸外に置き、ＤＳが６０〜９５ｗｔ％になるように乾燥させた。
【０１３９】
次いで、海藻を６０℃のオーブン内で一晩更に乾燥させた。
【０１４０】
乾燥した海藻を、Ｒｅｔｓｃｈミル（０．２５ｍｍの最終篩い）で粉砕して粉末にし、０．２５ｍｍで篩いにかけた。得られた粉末の特性を表６に示す。
【表５】
2021517178.tif 000007
結果
【０１４１】
本発明者らは、本発明に従って作製された調査された海藻ベースの粉末が、減量された量（約０．３ｗｔ％の乾燥物基準）の粉末を使用した場合であっても、Ｇ’＞１０Ｇ’’及び比較的周波数に依存しない係数を有する脱脂乳において真のゲル様挙動を示すことを観察した。調査した粉末の特性の概要を表７に示す。
【０１４２】
海藻ベースの粉末濃度を増加させると、Ｇ’は、式１によって示されるようなべき法則に従って増加し、式中、Ｃｏはそれ以下では各粉末が、脱脂乳中でゲル様挙動を示さなかった臨界濃度である。利用された海藻（コットーニィ（Cottonii）又はツノマタ（Chondrus））に関係なく、本発明の粉末は、粉砕された試料よりも高い機能性（又はテクスチャ加工特性）を示した。例えば、例えば、乾燥物含量に基づいて、コットーニィ（Cottonii）海藻を粉砕することにより得られた粉末のＣ０は、コットーニィ（Cottonii）に基づく本発明の粉末より２倍高い。
本発明の粉末と市販の海藻粉末との比較
【０１４３】
コットーニィ（Cottonii）及びツノマタ（Chondrus）海藻に基づく市販の海藻粉末は、テクスチャ特性が低下していることが観察された。例えば、コットーニィ（Cottonii）に基づく本発明の粉末は、調査された濃度範囲の対応する市販の海藻粉末より２．５倍以上機能した。また、ツノマタ（Chondrus）海藻に基づく本発明の粉末は、調査された濃度範囲の対応する市販の海藻粉末より３倍以上機能した。
【０１４４】
更に、市販のコットーニィ（Cottonii）ベースの粉末のＣ０は、対応する本発明の粉末よりも４倍高かったのに対し、市販のツノマタ（Chondrus）ベースの粉末は、対応する本発明の粉末よりも２倍高いＣ０を有した。
【表６】
2021517178.tif 000008
本発明の粉末を含む乳製品の例
実施例２のコットーニィ（Cottonii）粉末は、乳製品デザート（クリーミー及びゲル化テクスチャ）において試験されている。
クリーミーデザートのレシピ
以下のプロセス及びレシピを使用した。
プロセスステップ
１．全ての乾燥成分を予めブレンドし、冷たいミルク及びクリームに分散させた。
２．水和３０分
３．予備加熱６３℃
４．８０Ｂａｒでの均質化
５．９５℃で２分間の低温殺菌
６．１３５℃で１５秒間の滅菌
７．７５℃で予備冷却
８．１０℃で冷却
９．１０℃で４時間の間、「緩衝槽」に保管する
１０．ポット内の充填
成分
【表７】
2021517178.tif 000009
粘度の測定
粘度を、Ｂｒｏｏｋｆｉｅｌｄ  ＲＶ粘度計及びＨｅｌｉｐａｔｈ（商標）システムを用いて１０℃のデザート試料に対して測定した。Ｂｒｏｏｋｆｉｅｌｄ  Ｈｅｌｉｐａｔｈ（商標）は、Ｂｒｏｏｋｆｉｅｌｄ  Ｖｉｓｃｏｍｅｔｅｒをゆっくりと下げ、その結果、その回転する特殊なＴバー型スピンドルがデザート試料を通る螺旋状経路を描くように設計された。回転速度を５ｒｐｍに設定し、６回の回転値の平均を計算することにより、相対センチポアズ値で７日目及び２１日目に粘度を測定した。図２は、２つのクリーミーデザート試料の粘度測定値が類似していることを示し、本発明の粉末が市販の品質改良剤の機能性に匹敵する能力を有することを示した。
官能評価により、本発明の粉末を使用したクリーミーデザートは、滑らかで光沢のあるテクスチャ及びクリーミーな口当たりを有する、基準に近い非常に良好なクリーミーなテクスチャを示すことが示された。
ゲル化デザートのレシピ
ゲル化デザートは、以下のプロセスで作製され、表Ｂに示される成分を使用して、実施例２の粉末及び実施例１と同様のプロセスを用いてスピノサム（spinosum）から作製された粉末を使用して作製された。
プロセス
１．全ての乾燥成分を予めブレンドし、冷たいミルク及びクリームに分散させた。
２．水和３０分
３．予備加熱６３℃
４．８０Ｂａｒでの均質化
５．９５℃で２分間の低温殺菌
６．１３５℃で１５秒間の滅菌
７．７５℃で予備冷却
８．７０℃で４時間「緩衝槽」に充填する
９．ポット内の充填
成分
【表８】
2021517178.tif 000010
テクスチュロメータＴＡＸＴ＋による硬さの測定
ＴＡ．ＸＴｐｌｕｓテクスチャアナライザプラスは、ゲル化乳製品デザートのグラムにおける力、ゲル強度プロファイルを測定するために用いられている。以下の試験パラメータが使用され、直径１インチの円筒型プローブと、５℃の試験試料温度と、３つの試験試料と、１ｍｍ／秒の試験速度と、２０ｍｍの距離である。
図３は、各デザートトライアルで行われた３つの測定の平均をプロットし、本発明の粉末で作製された試料のゲル強度が、市販の品質改良剤が使用されたものとほぼ同じであることを示している。
官能評価により、本発明の粉末に基づくゲル化デザートは、市販のものと同様の滑らかな表面、クリーミーな口当たり及び中程度の硬さを有する非常に良好なテクスチャを有することが示された。
【図１】
2021517178.tif 000011
【図２】
2021517178.tif 000012
【図３】
2021517178.tif 000013
【国際調査報告】
2021517178.tif 000014
2021517178.tif 000015